(57)【要約】【課題】  服用者に対して適切な時刻に薬の服用を促す。【解決手段】  服用者情報記憶部１０１は、服用者に対して服用することが定められている薬及びその薬の服用時刻を記憶する。服用者行為検知部１０３は、薬の服用時刻を示す服用者による所定の行為を検知する。服薬情報作成部１０４は、服用者行為検知部１０３による服用者による所定の行為が検知された場合、服用者情報記憶部１０１を参照して服薬情報を作成する。通信部１０５は服薬情報を服用者端末３に送信する。【選択図】図１
2005276191.tif 000002
【特許請求の範囲】
【請求項１】
薬の服用者が所持する服用者端末と、当該服用者端末に対して所定のネットワークを介して接続されたサーバとを備え、
前記サーバは、
薬を服用する各服用者を特定する服用者特定データ、各服用者が服用する薬を特定する薬特定データ、各服用者に対して服用する薬毎に定められた薬の服用時刻、及び各服用者が所持する服用者端末の通信アドレスを格納するフィールドを少なくとも備える服用者情報レコードから構成された服用者情報テーブルと、
前記服用者情報テーブルに定められた服用時刻になったとき、服用者に対して薬の服用を促す服薬情報を作成する服薬情報作成手段と、
薬の服用者によりなされた薬の服用タイミングを示す所定の行為を検知する服用者行為検知手段と、
前記服薬情報作成手段により作成された服薬情報を、前記服用者端末に送信する服薬情報送信手段とを備え、
前記服用者端末は、
前記服薬情報送信手段により送信された服薬情報を受信する服薬情報受信手段と、
前記服薬情報受信手段により受信された服薬情報を出力する服薬情報出力手段とを備え、
前記服薬情報作成手段は、前記服用者行為検知手段により前記所定の行為が検知された時、前記服用者情報テーブルを参照し、服用することが定められた薬を特定し、特定した薬の服用を促すための服薬情報を作成することを特徴とする服薬情報提供システム。
【請求項２】
前記サーバ及び服用者端末は宅外ネットワークを介して接続され、
飲食店に設置され、前記宅外ネットワークを介して接続された飲食店端末を更に備え、
前記飲食店端末は、
服用者が飲食店に対して料金を支払う際に使用されるカードに記憶された、少なくとも前記服用者特定データを含むカード情報を読み取るカード情報読取手段と、
前記カード情報読取手段により読み取られたカード情報を前記サーバに送信するカード情報送信手段とを備え、
前記服用者行為検知手段は、前記カード情報送信手段により送信されたカード情報を受信したとき、服用者により薬の服用タイミングを示す所定の行為がなされたことを検知し、
前記服薬情報作成手段は、前記カード情報に含まれる服用者特定データに従って服用者を特定し、特定した服用者の服用者情報レコードを参照し、前記服薬情報を作成することを特徴とする請求項１記載の服薬情報提供システム。
【請求項３】
前記サーバ及び服用者端末は宅内ネットワークを介して接続され、
前記宅内ネットワークを介して接続された１又は複数の電気機器を更に備え、
前記電気機器は、
操作者からの操作指令を受け付ける操作手段と、
前記操作手段により受け付けられた操作指令を、前記電気機器を特定する機器特定情報と併せて前記サーバに送信する操作情報送信手段とを備え、
前記服用者行為検知手段は、前記操作情報送信手段により送信された機器特定情報から操作指令がなされた電気機器を特定すると共に、前記操作指令が当該電気機器に対する所定の操作を示す場合、薬の服用タイミングを示す所定の行為がなされたものとし、
前記服薬情報作成手段は、前記服用者行為検知手段により前記所定の行為が検知されたとき、前記服薬情報を作成することを特徴とする請求項１記載の服薬情報提供システム。
【請求項４】
前記服用者端末は、服用者から服薬情報の送信要求を受け付け、受け付けた送信要求を前記サーバに送信し、
前記服用者行為検知手段は、前記服薬情報の送信要求を受信したとき、薬の服用タイミングを示す所定の行為がなされたものとして検知することを特徴とする請求項１〜３のいずれかに記載の服薬情報提供システム。
【請求項５】
前記サーバは、前記薬特定データ、及び薬の服用分量を格納するフィールドを少なくとも備える薬剤情報レコードから構成される薬剤情報テーブルを更に備え、
前記服薬情報作成手段は、前記服用者行為検知手段により薬の服用タイミングを示す所定の行為が検知された時、当該行為を行った服用者に対する服用者情報レコードを参照し、服用することが定められている薬を特定し、特定した薬に対する薬剤情報レコードを参照して服用分量を読み出し、服薬情報を作成することを特徴とする請求項１〜４のいずれかに記載の服薬情報提供システム。
【請求項６】
前記薬剤情報テーブルは、各薬に対して飲み合わせにより相互作用を引き起こす薬、飲食物、及び嗜好品を格納するフィールドを更に備え、
前記所定のネットワークを介して接続され、飲食物及び嗜好品を収納する収納装置を更に備え、
前記収納装置は、収納している飲食物及び嗜好品を検出し、検出結果を基に在庫情報を生成して、前記サーバに送信する在庫情報送信手段を更に備え、
前記サーバは、前記在庫情報送信手段により送信された在庫情報を記憶する在庫情報記憶手段を更に備え、
前記服薬情報作成手段は、少なくとも服用者特定データを含む在庫内相互作用要求を前記服用者端末から受信したとき、服用者特定データによって服用者を特定し、特定した服用者の服用者情報レコードを参照して、当該服用者が服用している薬を特定し、特定した薬に対する薬剤情報レコードの相互作用を引き起こす薬、飲食物、及び嗜好品のフィールドに格納されたデータと、前記在庫情報記憶手段に記憶された在庫情報とを照合し、前記収納装置に格納された飲食物及び嗜好品のうち、服用している薬に対して相互作用を引き起こす飲食物及び嗜好品を示す在庫内相互作用情報を生成し、
前記服薬情報送信手段は、前記在庫内相互作用情報を前記服用者端末に送信することを特徴とする請求項５記載の服薬情報提供システム。
【請求項７】
前記服用者端末は、
薬を収納する薬収納部と、
前記薬収納部の中に薬が存在するかを検知するセンサーと、
前記薬収納部の中に薬が存在しないことが検知された場合、その旨を通知する警告情報を作成する警告情報作成手段と、
前記警告情報を出力する警告情報出力手段とを備えることを特徴とする請求項１〜６のいずれかに記載の服薬情報提供システム。
【請求項８】
前記所定のネットワークを介して接続された薬収納装置を更に備え、
前記薬収納装置は、
薬を収納する薬収納部と、
前記薬収納部の中に薬が存在するかを検知するセンサーと、
前記薬収納部の中に薬が存在しないことが検知された場合、その旨を通知する警告情報を作成する警告情報作成手段と、
前記警告情報を前記服用者端末に送信する警告情報送信手段とを備え、
前記服用者端末は、受信した警告情報を出力する警告情報出力手段を更に備えることを特徴とする請求項１〜７のいずれかに記載の服薬情報提供システム。
【請求項９】
前記服用者情報テーブルの薬の服用時刻を格納するフィールドは、１日を所定時間毎に分割して得られる複数の時間帯のフィールドから構成され、各時間帯のフィールドにはその時間帯における薬毎の服用時刻が格納され、
前記服薬情報作成手段は、前記服用者行為検知手段により前記所定の行為が検知された時刻がどの時間帯に属するかを特定し、特定した時間帯のフィールドにおいて、ある薬に対する服用時刻が格納されている場合、当該薬の服用を促す服薬情報を作成することを特徴とする請求項１〜８のいずれかに記載の服薬情報提供システム。
【請求項１０】
前記服薬情報作成手段は、前記服用者行為検知手段により前記所定の行為が検知された時刻が、その時刻の属する時間帯のフィールドに格納された服用時刻より前であって、かつ、両時刻の時間差が所定時間以下の場合、前記服用時刻において、服薬情報を作成しないことを特徴とする請求項９記載の服薬情報提供システム。
【請求項１１】
前記服薬情報作成手段は、少なくとも前記服用者特定データを含み、作成した服薬情報に対して薬を服用したことが示された返答情報を前記服用者端末から受信した場合、受信した返答情報に含まれる服用者特定データに従って服用者を特定し、特定した服用者の服用者情報レコードにおいて、当該返答情報に対する服薬情報が送信された時刻が属する時間帯のフィールドに格納された服用時刻に、服薬情報を作成しないことを特徴とする請求項１０記載の服薬情報提供システム。
【請求項１２】
前記薬剤情報レコードは、各薬に対する服用時間間隔を格納するフィールドを更に備え、
前記服薬情報作成手段は、前記服用者行為検知手段により前記所定の行為が検知されたことに起因して、ある薬に対して服薬情報を作成した時刻である第１の時刻が、当該薬に対して定められた次回の服用時刻である第２の時刻以前であって、前記第１の時刻と前記第２の時刻との時間差が所定時間以下の場合、前記第１の時刻に当該薬の薬剤情報レコードに格納された服用時間間隔を加算して第３の時刻を算出し、当該薬の次回の服用時刻を前記第２の時刻から前記第３の時刻に変更することを特徴とする請求項９〜１１のいずれかに記載の服薬情報提供システム。
【請求項１３】
前記服薬情報作成手段は、少なくとも服用者特定データを含む相互作用要求を前記服用者端末から受信したとき、当該服用者特定データによって服用者を特定し、特定した服用者の服用者情報レコードを参照して、当該服用者が服用している薬を特定し、特定した薬に対する薬剤情報レコードを参照して、前記相互作用を引き起こす薬、飲食物、及び嗜好品を示す相互作用情報を生成し、
前記服薬情報送信手段は、前記相互作用情報を前記服用者端末に送信することを特徴とする請求項６〜１２のいずれかに記載の服薬情報提供システム。
【請求項１４】
薬の服用者が所持する服用者端末に対して所定のネットワークを介して接続されたサーバであって、
薬を服用する各服用者を特定する服用者特定データ、各服用者が服用する薬を特定する薬特定データ、及び各服用者に対して服用する薬毎に定められた薬の服用時刻とが格納された服用者情報レコードから構成された服用者情報テーブルと、
前記服用者情報テーブルに定められた服用時刻になったとき、服用者に対して薬の服用を促す服薬情報を作成する服薬情報作成手段と、
薬の服用者によりなされた薬の服用時刻を示す所定の行為を検知する服用者行為検知手段と、
前記服薬情報作成手段により作成された服薬情報を、前記服用者端末に送信する服薬情報送信手段とを備え、
前記服用者端末は、前記服薬情報送信手段により送信された服薬情報を受信する服薬情報受信手段と、前記服薬情報受信手段により受信された服薬情報を出力する服薬情報出力手段とを備え、
前記服薬情報作成手段は、前記服用者行為検知手段により前記所定の行為が検知された時、前記服用者情報テーブルを参照し、服用することが定められた薬を特定し、特定した薬の服用を促すための服薬情報を作成することを特徴とするサーバ。
【請求項１５】
薬を服用する各服用者を特定する服用者特定データ、各服用者が服用する薬を特定する薬特定データ、各服用者に対して服用する薬毎に定められた薬の服用時刻、及び各服用者が所持する服用者端末の通信アドレスを格納するフィールドを少なくとも備える服用者情報レコードから構成される服用者情報テーブルと、前記服用者情報テーブルに定められた服用時刻になったとき、服用者に対して薬の服用を促す服薬情報を作成する服薬情報作成手段と、薬の服用者によりなされた薬の服用時刻を示す所定の行為を検知する服用者行為検知手段と、前記服薬情報作成手段により作成された服薬情報を、前記服用者端末に送信する服薬情報送信手段とを備え、前記服薬情報作成手段は、前記服用者行為検知手段により前記所定の行為が検知された時、前記服用者情報テーブルを参照し、服用することが定められた薬を特定し、特定した薬の服用を促すための服薬情報を作成するサーバに対して所定のネットワークを介して接続された服用者端末であって、
前記服薬情報送信手段により送信された服薬情報を受信する服薬情報受信手段と、
前記服薬情報受信手段により受信された服薬情報を出力する服薬情報出力手段とを備えることを特徴とする服用者端末。
【請求項１６】
薬の服用者が所持する服用者端末に対して所定のネットワークを介して接続されたサーバを制御するサーバプログラムであって、
薬を服用する各服用者を特定する服用者特定データ、各服用者が服用する薬を特定する薬特定データ、各服用者に対して服用する薬毎に定められた薬の服用時刻、及び各服用者が所持する服用者端末の通信アドレスを格納するフィールドを少なくとも備える服用者情報レコードから構成される服用者情報テーブルと、
前記服用者情報テーブルに定められた服用時刻になったとき、服用者に対して薬の服用を促す服薬情報を作成する服薬情報作成手段と、
薬の服用者によりなされた薬の服用時刻を示す所定の行為を検知する服用者行為検知手段と、
前記服薬情報作成手段により作成された服薬情報を、前記服用者端末に送信する服薬情報送信手段としてサーバを機能させ、
前記服用者端末は、前記服薬情報送信手段により送信された服薬情報を受信する服薬情報受信手段と、前記服薬情報受信手段により受信された服薬情報を出力する服薬情報出力手段とを備え、
前記服薬情報作成手段は、前記服用者行為検知手段により前記所定の行為が検知された時、前記服用者情報テーブルを参照し、服用することが定められた薬を特定し、特定した薬の服用を促すための服薬情報を作成することを特徴とするサーバプログラム。
【請求項１７】
薬を服用する服用者に対し、薬を服用する服用者を特定する服用者特定データ、各服用者が服用する薬を特定する薬特定データ、各服用者に対して服用する薬毎に定められた薬の服用時刻、及び各服用者が所持する服用者端末の通信アドレスを格納するフィールドを少なくとも備える服用者情報レコードから構成された服用者情報テーブルと、
前記服用者情報テーブルに定められた服用時刻になったとき、服用者に対して薬の服用を促す服薬情報を作成する服薬情報作成手段と、
薬の服用者によりなされた薬の服用タイミングを示す所定の行為を検知する服用者行為検知手段と、
前記服薬情報作成手段により作成された服薬情報を出力する服薬情報出力手段とを備え、
前記服薬情報作成手段は、前記服用者行為検知手段により前記所定の行為が検知された時、前記服用者情報テーブルを参照し、服用することが定められた薬を特定し、特定した薬の服用を促すための服薬情報を作成することを特徴とするホームコントローラ。
【発明の詳細な説明】
【技術分野】
【０００１】
本発明は、薬の服用者に対して薬の服用促す技術に関する。
【背景技術】
【０００２】
従来、病院や薬局等で薬剤が処方された際には、薬剤の効能や服用方法、薬の飲み合わせに関する事項、アレルギーとの関連性等の説明を受けている。また、それらの事項の一部あるいは全てが書かれた服薬指導書を受け取れる場合もある。しかしながら、病院や薬局等で受けた説明はその場で完全に把握することはなかなか難しく、また、時間が経過するにつれて忘れてしまうこともある。また、服薬指導書を受け取った場合でも、専門的な用語で書かれている場合など内容を正確かつ完全に把握することが困難な場合もある。更に、処方された薬は、例えば食後や就寝前など定められた時間に正しく服用する必要があるが、服用する薬の種類によって服用するタイミングが異なっている、あるいは食事を取る時間帯が一定していないなどの要因により適切な時刻に服用するのを忘れてしまうこともある。
【０００３】
薬の服用者に対して服用時刻に薬剤の情報を通知する方法としては、薬を服用する患者が携帯する端末にあらかじめ薬剤に関する情報を蓄積しておき、定められた薬の服用時刻ごとに患者に通知するなどの方法がある（例えば、特許文献１参照）。また、薬局内に設置されたサーバから薬を服用する患者が携帯する端末に、定められた薬の服用時刻ごとに患者に通知するなどの方法がある（例えば、特許文献２参照）。
【特許文献１】特開２００３−２３０６２０号公報
【特許文献２】特開２００３−２９６４５４号公報
【発明の開示】
【発明が解決しようとする課題】
【０００４】
しかしながら、特許文献１及び特許文献２に記載の従来の方法では、あらかじめ定められた服用時刻にのみ通知がなされ、食事に起因して服用する薬において定められた服用時刻までに食事を摂ることができなかった場合などには、食後に薬の服用を促す通知が行われないために適切な服用ができず、薬剤による効果を得にくいという課題を有していた。
【０００５】
本発明は、予め定められた服用時刻のみの通知にとどまらず、より適切な時刻に服用者に対して薬の服用を促すことを目的とする。
【課題を解決するための手段】
【０００６】
本発明による服薬情報提供システムは、薬の服用者が所持する服用者端末と、当該服用者端末に対して所定のネットワークを介して接続されたサーバとを備え、前記サーバは、薬を服用する各服用者を特定する服用者特定データ、各服用者が服用する薬を特定する薬特定データ、各服用者に対して服用する薬毎に定められた薬の服用時刻、及び各服用者が所持する服用者端末の通信アドレスを格納するフィールドを少なくとも備える服用者情報レコードから構成された服用者情報テーブルと、前記服用者情報テーブルに定められた服用時刻になったとき、服用者に対して薬の服用を促す服薬情報を作成する服薬情報作成手段と、薬の服用者によりなされた薬の服用タイミングを示す所定の行為を検知する服用者行為検知手段と、前記服薬情報作成手段により作成された服薬情報を、前記服用者端末に送信する服薬情報送信手段とを備え、前記服用者端末は、前記服薬情報送信手段により送信された服薬情報を受信する服薬情報受信手段と、前記服薬情報受信手段により受信された服薬情報を出力する服薬情報出力手段とを備え、前記服薬情報作成手段は、前記服用者行為検知手段により前記所定の行為が検知された時、前記服用者情報テーブルを参照し、服用することが定められた薬を特定し、特定した薬の服用を促すための服薬情報を作成することを特徴とする。
【０００７】
また、上記構成において、前記サーバ及び服用者端末は宅外ネットワークを介して接続され、飲食店に設置され、前記宅外ネットワークを介して接続された飲食店端末を更に備え、前記飲食店端末は、服用者が飲食店に対して料金を支払う際に使用されるカードに記憶された、少なくとも前記服用者特定データを含むカード情報を読み取るカード情報読取手段と、前記カード情報読取手段により読み取られたカード情報を前記サーバに送信するカード情報送信手段とを備え、前記服用者行為検知手段は、前記カード情報送信手段により送信されたカード情報を受信したとき、服用者により薬の服用タイミングを示す所定の行為がなされたことを検知し、前記服薬情報作成手段は、前記カード情報に含まれる服用者特定データに従って服用者を特定し、特定した服用者の服用者情報レコードを参照し、前記服薬情報を作成することが好ましい。
【０００８】
また、上記構成において、前記サーバ及び服用者端末は宅内ネットワークを介して接続され、前記宅内ネットワークを介して接続された１又は複数の電気機器を更に備え、前記電気機器は、操作者からの操作指令を受け付ける操作手段と、前記操作手段により受け付けられた操作指令を、前記電気機器を特定する機器特定情報と併せて前記サーバに送信する操作情報送信手段とを備え、前記服用者行為検知手段は、前記操作情報送信手段により送信された機器特定情報から操作指令がなされた電気機器を特定すると共に、前記操作指令が当該電気機器に対する所定の操作を示す場合、薬の服用タイミングを示す所定の行為がなされたものとし、前記服薬情報作成手段は、前記服用者行為検知手段により前記所定の行為が検知されたとき、前記服薬情報を作成することが好ましい。
【０００９】
また、上記構成において、前記服用者端末は、服用者から服薬情報の送信要求を受け付け、受け付けた送信要求を前記サーバに送信し、前記服用者行為検知手段は、前記服薬情報の送信要求を受信したとき、薬の服用タイミングを示す所定の行為がなされたものとして検知することが好ましい。
【００１０】
また、上記構成において、前記サーバは、前記薬特定データ、及び薬の服用分量を格納するフィールドを少なくとも備える薬剤情報レコードから構成される薬剤情報テーブルを更に備え、前記服薬情報作成手段は、前記服用者行為検知手段により薬の服用タイミングを示す所定の行為が検知された時、当該行為を行った服用者に対する服用者情報レコードを参照し、服用することが定められている薬に対する薬剤情報レコードを参照し、特定した薬に対する服用分量を読み出して服薬情報を作成することが好ましい。
【００１１】
また、上記構成において、前記薬剤情報テーブルは、各薬に対して飲み合わせにより相互作用を引き起こす薬、飲食物、及び嗜好品を格納するフィールドを更に備え、前記宅内ネットワークを介して接続され、飲食物及び嗜好品を収納する収納装置を更に備え、前記収納装置は、収納している飲食物及び嗜好品を検出し、検出結果を基に在庫情報を生成して、前記サーバに送信する在庫情報送信手段を更に備え、前記サーバは、前記在庫情報送信手段により送信された在庫情報を記憶する在庫情報記憶手段を更に備え、前記服薬情報作成手段は、少なくとも服用者特定データを含む在庫内相互作用要求を前記服用者端末から受信したとき、服用者特定データによって服用者を特定し、特定した服用者の服用者情報レコードを参照して、当該服用者が服用している薬を特定し、特定した薬に対する薬剤情報レコードの相互作用を引き起こす薬、飲食物、及び嗜好品のフィールドに格納されたデータと、前記在庫情報記憶手段に記憶された在庫情報とを照合し、前記収納装置に格納された飲食物及び嗜好品のうち、服用している薬に対して相互作用を引き起こす飲食物及び嗜好品を示す在庫内相互作用情報を生成し、前記服薬情報送信手段は、前記在庫内相互作用情報を前記服用者端末に送信することが好ましい。
【００１２】
また、上記構成において、前記服用者端末は、薬を収納する薬収納部と、前記薬収納部の中に薬が存在するかを検知するセンサーと、前記薬収納部の中に薬が存在しないことが検知された場合、その旨を通知する警告情報を作成する警告情報作成手段と、前記警告情報を出力する警告情報出力手段とを備えることが好ましい。
【００１３】
また、上記構成において、前記宅内ネットワークを介して接続された薬収納装置を更に備え、前記薬収納装置は、薬を収納する薬収納部と、前記薬収納部の中に薬が存在するかを検知するセンサーと、前記薬収納部の中に薬が存在しないことが検知された場合、その旨を通知する警告情報を作成する警告情報作成手段と、前記警告情報を前記服用者端末に送信する警告情報送信手段とを備え、前記服用者端末は、受信した警告情報を出力する警告情報出力手段を更に備えることが好ましい。
【００１４】
また、上記構成において、前記服用者情報テーブルの薬の服用時刻を格納するフィールドは、１日を所定時間毎に分割して得られる複数の時間帯のフィールドから構成され、各時間帯のフィールドにはその時間帯における薬毎の服用時刻が格納され、前記服薬情報作成手段は、前記服用者行為検知手段により前記所定の行為が検知された時刻がどの時間帯に属するかを特定し、特定した時間帯のフィールドにおいて、ある薬に対する服用時刻が格納されている場合、当該薬の服用を促す服薬情報を作成することが好ましい。
【００１５】
また、上記構成において、前記服薬情報作成手段は、前記服用者行為検知手段により前記所定の行為が検知された時刻が、その時刻の属する時間帯のフィールドに格納された服用時刻より前であって、かつ、両時刻の時間差が所定時間以下の場合、前記服用時刻において、服薬情報を作成しないことが好ましい。
【００１６】
また、上記構成において、前記服薬情報作成手段は、少なくとも前記服用者特定データを含み、作成した服薬情報に対して薬を服用したことが示された返答情報を前記服用者端末から受信した場合、受信した返答情報に含まれる服用者特定データに従って服用者を特定し、特定した服用者の服用者情報レコードにおいて、当該返答情報に対する服薬情報が送信された時刻が属する時間帯のフィールドに格納された服用時刻に、服薬情報を作成しないことが好ましい。
【００１７】
また、上記構成において、前記薬剤情報レコードは、各薬に対する服用時間間隔を格納するフィールドを更に備え、前記服薬情報作成手段は、前記服用者行為検知手段により前記所定の行為が検知されたことに起因して、ある薬に対して服薬情報を作成した時刻である第１の時刻が、当該薬に対して定められた次回の服用時刻である第２の時刻以前であって、前記第１の時刻と前記第２の時刻との時間差が所定時間以下の場合、前記第１の時刻に当該薬の薬剤情報レコードに格納された服用時間間隔を加算して第３の時刻を算出し、当該薬の次回の服用時刻を前記第２の時刻から前記第３の時刻に変更することが好ましい。
【００１８】
また、上記構成において、前記服薬情報作成手段は、少なくとも服用者特定データを含む相互作用要求を前記服用者端末から受信したとき、当該服用者特定データによって服用者を特定し、特定した服用者の服用者情報レコードを参照して、当該服用者が服用している薬を特定し、特定した薬に対する薬剤情報レコードを参照して、相互作用を引き起こす薬、飲食物、及び嗜好品を示す相互作用情報を生成し、前記服薬情報送信手段は、前記相互作用情報を前記服用者端末に送信することが好ましい。
【００１９】
本発明によるサーバは、薬の服用者が所持する服用者端末に対して所定のネットワークを介して接続されたサーバであって、薬を服用する各服用者を特定する服用者特定データ、各服用者が服用する薬を特定する薬特定データ、及び各服用者に対して服用する薬毎に定められた薬の服用時刻とが格納された服用者情報レコードから構成された服用者情報テーブルと、前記服用者情報テーブルに定められた服用時刻になったとき、服用者に対して薬の服用を促す服薬情報を作成する服薬情報作成手段と、薬の服用者によりなされた薬の服用時刻を示す所定の行為を検知する服用者行為検知手段と、前記服薬情報作成手段により作成された服薬情報を、前記服用者端末に送信する服薬情報送信手段とを備え、前記服用者端末は、前記服薬情報送信手段により送信された服薬情報を受信する服薬情報受信手段と、前記服薬情報受信手段により受信された服薬情報を出力する服薬情報出力手段とを備え、前記服薬情報作成手段は、前記服用者行為検知手段により前記所定の行為が検知された時、前記服用者情報テーブルを参照し、服用することが定められた薬を特定し、特定した薬の服用を促すための服薬情報を作成することを特徴とする。
【００２０】
本発明による服用者端末は、薬を服用する各服用者を特定する服用者特定データ、各服用者が服用する薬を特定する薬特定データ、各服用者に対して服用する薬毎に定められた薬の服用時刻、及び各服用者が所持する服用者端末の通信アドレスを格納するフィールドを少なくとも備える服用者情報レコードから構成される服用者情報テーブルと、前記服用者情報テーブルに定められた服用時刻になったとき、服用者に対して薬の服用を促す服薬情報を作成する服薬情報作成手段と、薬の服用者によりなされた薬の服用時刻を示す所定の行為を検知する服用者行為検知手段と、前記服薬情報作成手段により作成された服薬情報を、前記服用者端末に送信する服薬情報送信手段とを備え、前記服薬情報作成手段は、前記服用者行為検知手段により前記所定の行為が検知された時、前記服用者情報テーブルを参照し、服用することが定められた薬を特定し、特定した薬の服用を促すための服薬情報を作成するサーバに対して所定のネットワークを介して接続された服用者端末であって、前記服薬情報送信手段により送信された服薬情報を受信する服薬情報受信手段と、前記服薬情報受信手段により受信された服薬情報を出力する服薬情報出力手段とを備えることを特徴とする。
【００２１】
本発明によるサーバプログラムは、薬の服用者が所持する服用者端末に対して所定のネットワークを介して接続されたサーバを制御するサーバプログラムであって、薬を服用する各服用者を特定する服用者特定データ、各服用者が服用する薬を特定する薬特定データ、各服用者に対して服用する薬毎に定められた薬の服用時刻、及び各服用者が所持する服用者端末の通信アドレスを格納するフィールドを少なくとも備える服用者情報レコードから構成される服用者情報テーブルと、前記服用者情報テーブルに定められた服用時刻になったとき、服用者に対して薬の服用を促す服薬情報を作成する服薬情報作成手段と、薬の服用者によりなされた薬の服用時刻を示す所定の行為を検知する服用者行為検知手段と、前記服薬情報作成手段により作成された服薬情報を、前記服用者端末に送信する服薬情報送信手段としてサーバを機能させ、前記服用者端末は、前記服薬情報送信手段により送信された服薬情報を受信する服薬情報受信手段と、前記服薬情報受信手段により受信された服薬情報を出力する服薬情報出力手段とを備え、前記服薬情報作成手段は、前記服用者行為検知手段により前記所定の行為が検知された時、前記服用者情報テーブルを参照し、服用することが定められた薬を特定し、特定した薬の服用を促すための服薬情報を作成することを特徴とする。
【００２２】
本発明によるホームコントローラは、薬を服用する服用者に対し、薬を服用する服用者を特定する服用者特定データ、各服用者が服用する薬を特定する薬特定データ、各服用者に対して服用する薬毎に定められた薬の服用時刻、及び各服用者が所持する服用者端末の通信アドレスを格納するフィールドを少なくとも備える服用者情報レコードから構成された服用者情報テーブルと、前記服用者情報テーブルに定められた服用時刻になったとき、服用者に対して薬の服用を促す服薬情報を作成する服薬情報作成手段と、薬の服用者によりなされた薬の服用タイミングを示す所定の行為を検知する服用者行為検知手段と、前記服薬情報作成手段により作成された服薬情報を出力する服薬情報出力手段とを備え、前記服薬情報作成手段は、前記服用者行為検知手段により前記所定の行為が検知された時、前記服用者情報テーブルを参照し、服用することが定められた薬を特定し、特定した薬の服用を促すための服薬情報を作成することを特徴とする。
【発明の効果】
【００２３】
請求項１記載の発明によれば、服用者情報テーブルには、服用することが定められた薬とその薬の服用時刻とが格納されている。そして、服用者情報テーブルに格納された服用時刻において、服用者に対して薬の服用を促す服薬情報が作成され、作成された服薬情報が服用者端末に送信される。また、服用者の薬の服用タイミングを示す所定の行為が検知された場合、服用者に対して服用することが定められた薬が特定され、当該薬の服用を促す服薬情報が作成され、服用者端末に送信される。そして、服薬情報を受信した服用者端末は受信した服薬情報を出力する。
【００２４】
したがって、服用者は、予め定められた服用時刻のみならず、薬の服用タイミングを示す所定の行為（例えば、食事終了を示す行為）が検知された場合においても薬の服用が促されるため、食事の時間帯がずれた場合であっても、服用者に対して適切な時刻に薬の服用を促すことができる。
【００２５】
請求項２記載の発明によれば、飲食店にてクレジットカード等のカードにより料金を支払うと、服薬情報が送信されるため、食事終了時刻と推定される料金支払い時において、服用者に対して確実に薬の服用の必要性を知らせることができる。
【００２６】
請求項３記載の発明によれば、宅内にある電気機器に対して所定の操作がなされると、服用者は食事が終了したものとされ、服薬情報が送信されるため、服用者は食事終了時において薬を服用しなければならないことを知ることができる。
【００２７】
請求項４記載の発明によれば、服用者は、サーバに対して服薬情報の送信要求を送信することで、服薬情報を得ることができるため、服用者は自己が服用している薬に関する情報を知りたいときに得ることができる。
【００２８】
請求項５記載の発明によれば、服用者は薬の服用分量を把握することが可能となる。
【００２９】
請求項６記載の発明によれば、宅内ネットワークを介して接続された収納装置に収納された飲食物及び嗜好品が検出され、検出結果から在庫情報が生成され、サーバは生成された在庫情報を記憶している。一方、サーバは、在庫内相互作用要求を服用者端末から受信すると、在庫内相互作用要求に含まれる服用者特定データによって服用者を特定し、当該服用者の服用者情報レコード、在庫情報及び薬剤情報テーブルを参照し、収納装置に格納された飲食物及び嗜好品のうち、服用者が服用している薬に対して相互作用を引き起こす飲食物及び嗜好品を示す在庫内相互作用情報を生成し、服用者端末に送信する。従って、服用者は、収納装置に格納された飲食物及び嗜好品のうち服用することが好ましくない飲食物及び嗜好品を把握することができ、薬服用の効果を高めることができる。
【００３０】
請求項７記載の発明によれば、服用者端末は薬を収納する薬収納部を備え、当該薬収納部に薬が存在しない場合、その旨が通知されるため、服用者は宅内において薬が全くない状況を把握することができる。
【００３１】
請求項８記載の発明によれば、薬収納部に薬が存在しない場合、警告情報が作成され、服用者の端末にて出力され、服用者に薬収納部に薬がないことが報知されるため、服用者は、薬収納部に薬がないことを速やかに把握することができる。
【００３２】
請求項９記載の発明によれば、服用時刻を格納するフィールドは、１日を所定時間毎に分割した複数の時間帯のフィールドから構成され、各時間帯のフィールドにはその時間帯における薬毎の服用時刻が格納されている。
【００３３】
そして、服用者の所定の行為が検知された時刻がいずれの時間帯に属するかが特定され、特定された時間帯のフィールドにおいて、ある薬に対する服用時刻が格納されている場合、当該薬の服用を促す服薬情報が作成される。そのため、服用者は各時間帯において服用が定められた薬を把握することができる。
【００３４】
請求項１０記載の発明によれば、短時間の間に同一の服薬情報が複数送信されることを防止することができる。
【００３５】
請求項１１記載の発明によれば、服用者は、サーバから送信された服薬情報に対する返答情報をサーバに送信することにより、同一の服薬情報が再度送信されることを防止することができる。
【００３６】
請求項１２記載の発明によれば、服用者情報が送信された時刻から、薬の服用時間間隔が考慮された一定の間隔を開けて次回の服用者情報が送信されるため、服用者にとって適切な時刻に服薬情報を送信することができる。
【００３７】
請求項１３記載の発明によれば、相互作用要求をサーバに送信することにより、現在服用している薬に対して相互作用を引き起こす薬、飲食物、及び嗜好品を知ることができる。
【００３８】
請求項１４記載の発明によれば、服用者は、予め定められた服用時刻のみならず、薬の服用タイミングを示す所定の行為（例えば、食事終了を示す行為）が検知された場合においても薬の服用が促されるため、食事時間帯がずれた場合であっても、服用者に対して適切な時刻に薬の服用を促すことができる。
【００３９】
請求項１５記載の発明によれば、服用者は、予め定められた服用時刻のみならず、薬の服用タイミングを示す所定の行為（例えば、食事終了を示す行為）が検知された場合においても薬の服用が促されるため、服用者の食事時間帯がずれた場合であっても服用者に対して適切な時刻に薬の服用を促すことができる。
【００４０】
請求項１６記載の発明によれば、服用者は、予め定められた服用時刻のみならず、薬の服用タイミングを示す所定の行為（例えば、食事終了を示す行為）が検知された場合においても薬の服用が促されるため、服用者の食事時間帯がずれた場合であっても服用者に対して適切な時刻に薬の服用を促すことができる。
【００４１】
請求項１７記載の発明によれば、服用者は、予め定められた服用時刻のみならず、薬の服用タイミングを示す所定の行為（例えば、食事終了を示す行為）が検知された場合においても薬の服用が促されるため、服用者の食事時間帯がずれた場合であっても服用者に対して適切な時刻に薬の服用を促すことができる。
【発明を実施するための最良の形態】
【００４２】
以下本発明の実施の形態について、図面を参照しながら説明する。
（実施の形態１）
図１は本発明の実施の形態１による服薬情報提供システムを示す構成図である。実施の形態１の服薬情報提供システムは、サーバ１、服用者端末３、及び飲食店端末４を備えている。サーバ１、服用者端末３、及び飲食店端末４はネットワーク２を介して種々のデータが相互に送受信可能に接続されている。ネットワーク２としては例えば携帯電話網、インターネット、専用線等が採用され、ＴＣＰ／ＩＰに従いサーバ１及び服用者端末３間でデータが相互に送受信される。
【００４３】
飲食店端末４は、薬の服用者が食事を摂った飲食店に設置された端末であり、カード情報読取部４０１及び通信部４０２を備えている。カード情報読取部４０１は、公知の磁気カードリーダ、ＩＣカードリーダ、及びＲＦＩＤタグリーダ等から構成され、カードＣが記憶するカード情報を読み取る。カードＣは、服用者が所持するクレジットカード、キャッシュカード、社員カード、ポイントカード、又はプリペイドカードである。
【００４４】
そして、カードＣは、磁気カード、又はＩＣチップ若しくはＲＦＩＤタグを具備するカードが採用され、服用者の名称及びカード番号等を含むカード情報を記憶している。なお、カード情報読取部４０１は、服用者がカードＣに代えて、携帯電話により料金を支払う場合は、この携帯電話からカード情報に相当する情報を読み取ることも可能である。本実施の形態では、服用者は食事を終え、食事代を支払う時に、カードＣを提示するものとする。従って、カード情報読取部４０１は、服用者の食事終了時に当該服用者のカード情報を読み取ることになる。
【００４５】
通信部４０２は、公知のモデム等から構成され、カード情報読取部４０１により読み取られた情報をネットワーク２を介してサーバ１に送信する。
【００４６】
サーバ１は、公知のコンピュータから構成され、コンピュータをサーバとして機能させるプログラムを記憶し、ＣＰＵがこのプログラムを実行することで、服用者情報記憶部１０１、薬剤情報記憶部１０２、服用者行為検知部１０３、服薬情報作成部１０４、及び通信部１０５としてコンピュータを機能させる。
【００４７】
服用者情報記憶部１０１は、図２に示す服用者情報テーブルを記憶する。図２は服用者情報テーブルの一例を示した図面である。服用者情報テーブルは、服用者毎に個別に作成された服用者情報レコードから構成されている。服用者情報レコードは、服用者名称、カード情報、連絡先情報、薬の名称、服用時刻／変更時刻のフィールドを備えている。
【００４８】
服用者名称のフィールドには、服用者の名前が格納されている。カード情報のフィールドには、服用者が所持するカードの枚数に応じて１又は複数のフィールドが含まれ、各フィールドには、服用者が保持するカードＣのカード番号が格納されている。
【００４９】
連絡先情報のフィールドには、服用者の連絡先が記憶されている。連絡先としては、電子メールのメールアドレスが該当する。
【００５０】
薬の名称のフィールドは、服用者が服用する薬の種類に応じて１又は複数のフィールドが含まれ、各フィールドには、服用者が服用する薬の名称が格納されている。服用時刻／変更時刻のフィールドには、朝、昼、夜、食間１、食間２、就寝前のフィールドが含まれ、各フィールドには、各薬に対する服用時刻と変更された服用時刻とが格納されている。
【００５１】
朝のフィールドには、３時から１０時までの間の朝の時間帯における服用時刻が格納されている。昼のフィールドには、１０時から１５時までの間の昼の時間帯における服用時刻が格納されている。夜のフィールドには、１５時から２２時までの間の夜の時間帯における服用時刻が格納されている。
【００５２】
食間１のフィールドには、午前中の食間における服用時刻が格納されている。食間２のフィールドには午後の食間における服用時刻が格納されている。例えば、田中一郎の服用者情報レコードでは、朝のフィールドには、薬Ａ及び薬Ｂに対して「７：００」、昼のフィールドには薬Ａに対して「１２：００」、夜のフィールドには薬Ａ及び薬Ｂに対して「１８：００」が格納されているため、田中一郎は、７時に薬Ａ及び薬Ｂを服用することを示す服薬情報、１２時に薬Ｂを服用することを示す服薬情報、１８時に薬Ａ及び薬Ｂを服用することを示す服薬情報が送信される。また、田中一郎の服用者情報レコードでは、食間１のフィールドに薬Ｃに対して「１０：００」が格納され、食間２のフィールドに薬Ｃに対して「１５：００」が格納されているため、田中一郎は、１０時及び１５時に薬Ｃを服用することを示す服薬情報が送信される。
【００５３】
薬剤情報記憶部１０２は、図３に示すような薬剤情報テーブルを記憶している。図３は薬剤情報テーブルの一例を示す図面である。薬剤情報テーブルは、薬毎に個別に作成された薬剤情報レコードから構成されている。薬剤情報レコードは、薬の名称、服用方法、形状、大きさ、色、画像、副作用、飲み合わせの悪い薬、及び飲み合わせの悪い飲食物・嗜好品のフィールドを備えている。
【００５４】
薬の名称のフィールドには、薬の名称が格納されている。服用方法のフィールドは、朝、昼、夜、食間１、食間２、就寝前、服用時間間隔、及び注意事項のフィールドが含まれる。朝のフィールドには、朝の時間帯（３時〜１０時）に薬を服用するか否かを示す情報、及び服用する薬の分量が格納されている。昼のフィールドには、昼の時間帯（１０時〜１５時）に薬を服用するか否かを示す情報、及び服用する薬の分量が格納されている。夜のフィールドには、夜の時間帯（１５時〜２２時）に薬を服用するか否かを示す情報、及び服用する薬の分量が格納されている。食間１のフィールドには、午前中の食間に薬を服用するか否かを示す情報、及び服用する薬の分量が格納されている。食間２のフィールドには、午後の食間に薬を服用するか否かを示す情報、及び服用する薬の分量が格納されている。
【００５５】
就寝前のフィールドには、就寝前の時間帯（２２時〜３時）に薬を服用するか否かを示す情報、及び服用する薬の分量が格納されている。服用時間間隔のフィールドには、朝、昼、夜と１日３回服用される薬に対しては、朝の服用時刻及び昼の服用時刻の時間間隔、並びに昼の服用時刻及び夜の服用時刻の時間間隔が格納されている。なお、朝の服用時刻及び昼の服用時刻の時間間隔、並びに昼の服用時刻及び夜の服用時刻の時間間隔が等しい場合は、いずれか一方の時間間隔が格納される。
【００５６】
また、午前中の食間と午後の食間とに服用される薬に対しては、午前中の食間の服用時刻及び午後の食間の服用時刻の時間間隔が格納される。注意事項のフィールドには、「白湯で牛乳不可」等の服用にあたっての注意事項が格納される。
【００５７】
形状のフィールドには、「丸」、「袋」等の薬の形状を示す情報が格納される。大きさのフィールドには、直径５ｍｍ等の薬の大きさを示す情報が格納される。色のフィールドには、「白」、「茶」等の薬の色を示す情報が格納される。画像のフィールドには、薬の画像データが格納される。この画像データは、例えば、デジタルカメラ等で実際の薬を撮影することにより取得されたビットマップ形式の画像データである。副作用のフィールドには、薬を服用した場合に発生する可能性のある副作用の情報が格納されている。飲み合わせの悪い薬のフィールドには、飲み合わせにより相互作用を引き起こす可能性のある薬の名称が格納されている。飲み合わせの悪い飲食物・嗜好品のフィールドには飲み合わせにより相互作用を引き起こす可能性のある飲食物・嗜好品が格納される。
【００５８】
通信部１０５は、飲食店端末４から送信されたカード情報を受信して、服用者行為検知部１０３に出力すると共に、服薬情報作成部１０４で作成された服薬情報を服用者端末３へ送信する。
【００５９】
服用者行為検知部１０３は、通信部１０５から出力されたカード情報を受けた時、服用者は食事を終えたことを検知し、当該カード情報を服薬情報作成部１０４に出力する。
【００６０】
服薬情報作成部１０４は、時刻を特定するためのタイマー機能を備え、服用者情報テーブルに格納された服用時刻になった時、服薬情報を作成し、通信部１０５に出力する。
【００６１】
また、服薬情報作成部１０４は、服用者行為検知部１０３から出力されたカード情報を受け付けた時、服用者情報テーブルを参照して、服薬情報を作成する必要があるか否かを判定し、服薬情報を作成する必要があると判定した場合、服用者情報テーブルに従って服用者が服用する薬を特定し、特定した薬に関する情報を薬剤情報テーブルから抽出して服薬情報を作成し、通信部１０５に出力する。
【００６２】
更に、服薬情報作成部１０４は、服用者情報テーブルに格納された次回の服用時刻を変更する必要があるか否かを判定し、次回の服用時刻を変更する必要があると判定した場合、次回の服用時刻を変更する。
【００６３】
服用者端末３は、薬の服用者により所持される携帯電話、ＰＤＡ等のモバイル端末であり、通信部３０１及び出力部３０２を備える。通信部３０１は、公知のモデム等から構成され、ネットワーク２に接続された装置との通信を制御する。出力部３０２は、液晶ディスプレイ、有機ＥＬ等の表示装置及びスピーカ等から構成される。
【００６４】
本実施の形態では、服薬情報作成部１０４が服薬情報作成手段に相当し、服用者行為検知部１０３が服用者行為検知手段に相当し、通信部３０１が服薬情報送信手段に相当し、出力部３０２が服薬情報出力手段に相当する。
【００６５】
次に、実施の形態１による服薬情報提供システムの動作について図４及び図５のフローチャートに従って説明する。まず、ステップＳ１０１において、飲食店にて食事が終了した薬の服用者によりカードＣが提示されると、飲食店端末４のカード情報読取部４０１は、カードＣに記憶されたカード情報を読み取る。
【００６６】
ステップＳ１０２において、カード情報読取部４０１は、読み取ったカード情報を通信部４０２に出力する。ステップＳ１０３において、通信部４０２は、受け付けたカード情報を送信するためのフレームを生成し、ネットワーク２を介してサーバ１に送信する。
【００６７】
ステップＳ２０１において、通信部１０５は、飲食店端末４から送信されたカード情報を受信し、服用者行為検知部１０３に出力する。服用者行為検知部１０３は、カード情報を受け付けたことにより服用者が食事を終了したこと検知し、当該カード情報を服薬情報作成部１０４に出力する。ステップＳ２０２において、服薬情報作成部１０４は、受け付けたカード情報に含まれる服用者の名称から服用者を特定する。
【００６８】
ステップＳ２０３において、服薬情報作成部１０４は、カード情報に含まれる服用者の名称及びカード番号と同一のデータが、服用者名称のフィールド及びカード情報のフィールドに格納された服用者情報レコードを図２に示す服用者情報テーブルから検出する。
【００６９】
ステップＳ２０４において、服薬情報作成部１０４は、カード情報に含まれる服用者の名称及びカード番号と同一のデータが格納された服用者情報レコードが、服用者情報テーブルから検出することができた場合（Ｓ２０４でＹＥＳ）、検出した服用者情報レコードの薬の名称のフィールドに格納されたデータから当該服用者が服用する薬を特定し（Ｓ２０５）、特定した薬に対する薬剤情報レコードを図３に示す薬剤情報テーブルから検出する。
【００７０】
ステップＳ２０６において、服薬情報作成部１０４は、検出した薬剤情報レコード及び服用者情報レコードに従って、服用者情報を作成する必要があるか否かを判定する。ここで、服薬情報作成部１０４は、服用者行為検知部１０３によりカード情報が取得された時刻が図２に示す朝の時間帯、昼の時間帯、夜の時間帯、及び就寝前の時間帯のいずれの時刻に該当するかを特定する。
【００７１】
次に、対象となる服用者の服用者情報レコードを参照し、特定した時間帯のフィールドにおいて、薬の服用時刻が格納されている場合、服薬情報を作成する必要があると判定する。一方、薬の服用時刻が格納されていない場合、服用者情報を作成する必要がないと判定する。
【００７２】
服薬情報作成部１０４は、例えば６：５０分に田中一郎のカード情報を受け付けた場合、図２に示す田中一郎の服用者情報レコードの朝のフィールドを参照する。そして、朝のフィールドにおいて、薬Ａ及び薬Ｂに対して「７：００」の服用時刻が格納されているため、服薬情報を作成する必要があると判定する。
【００７３】
服薬情報作成部１０４は、ステップＳ２０６においてＹＥＳと判定した場合、該当する服用者の服用者情報レコード参照し、服用者が服用する薬を特定する（Ｓ２０７）。ここで、服薬情報作成部１０４は、カード情報を受け付けた時刻が、図２に示す朝、昼、夜、就寝前のいずれの時間帯に該当するかを特定し、特定した時間帯のフィールドにおいて服用時刻が格納されている薬を、服用者が服用する薬として特定する。
【００７４】
服薬情報作成部１０４は、例えば６：５０分に田中一郎のカード情報を取得した場合、図２に示す朝のフィールドには、薬Ａ及び薬Ｂに服用時刻が格納され薬Ｃに服用時刻が格納されていないため、薬Ａ及び薬Ｂを服用する薬として特定する。
【００７５】
ステップＳ２０８において、服薬情報作成部１０４は、特定した薬の薬剤情報レコードを薬剤情報テーブルから検出する。ステップＳ２０９において、服薬情報作成部１０４は、特定した薬剤情報レコードを参照して服用する薬の分量、注意事項、形状、大きさ、色、画像、副作用、飲み合わせの悪い薬、及び飲み合わせの悪い飲食物・嗜好物のデータを抽出すると共に、特定した服用者の服用者情報レコードから連絡先情報を抽出し、抽出したこれらのデータに従って、服薬情報を作成する。図６は、服薬情報作成部１０４によって作成される服薬情報の一例を示した図面である。
【００７６】
図６に示すように服薬情報には、服薬情報作成部１０４により抽出された連絡先情報、薬、分量、注意事項、形状、大きさ、色、画像、副作用、飲み合わせの悪い薬、及び飲み合わせの悪い飲食物・嗜好物の情報が含まれていることが分かる。図６は、図２に示す田中一郎の朝の時間帯に作成された服薬情報を示している。図６に示すように、連絡先には、図２に示す田中一郎の連絡先情報である「abc@xyz..jp」が連絡先情報とされていることが分かる。また、図２に示すように田中一郎は朝の時間帯において、薬Ａ及び薬Ｂを服用することになっているため、図６に示すように薬Ａ及び薬Ｂが薬の情報とされていることが分かる。そして、薬Ａ及び薬Ｂの各々に対する分量、注意事項等の情報が図６に示す服薬情報に含まれていることが分かる。
【００７７】
一方、ステップＳ２０４において、服薬情報作成部１０４は、カード情報に含まれる服用者の名称及びカード番号と同一のデータが格納された服用者情報レコードが、服用者情報テーブルから検出することができなかった場合（Ｓ２０４でＮＯ）、処理がステップＳ２０６に進められる。
【００７８】
また、服薬情報作成部１０４は、ステップＳ２０６においてＮＯと判定した場合、服薬情報を作成しないことを示す情報を作成し、通信部１０５を介して服用者端末３に送信する。ステップＳ３０１において、サーバ１から送信された服薬情報を作成しないことを示す情報を受信した服用者端末３は、服薬情報が作成されないことを示す情報を出力部３０２に出力させ、服薬情報が作成されないことを服用者に報知する。
【００７９】
ステップＳ２１１において、通信部１０５は、服薬情報作成部１０４により作成された服薬情報を受け付ける。ステップＳ２１２において、通信部１０５は、受け付けた服薬情報に含まれる連絡先情報を送信先とするフレームを作成し、服用者端末３に送信する。
【００８０】
ステップＳ３０２において、服用者端末３の通信部３０１は、サーバ１から送信されたフレームを受信し服薬情報を取り出し、ステップＳ３０３において、取り出した服薬情報を出力部に出力し、ステップＳ３０４において、出力部３０２は服薬情報を出力する。これにより、服用者は、薬を服用しなければならないことを知ることができる。この場合、出力部３０２は、図６に示す服薬情報のうち、連絡先以外の情報を出力する。
【００８１】
ステップＳ２１３において、服薬情報作成部１０４は、服薬情報を送信した時刻が属する時間帯のフィールドに格納された服用時刻を変更する必要があるか否かを判定し、変更する必要があると判定した場合（Ｓ２１３でＹＥＳ）、当該時間帯のフィールドに「中止」を格納し、服用者情報レコードを更新する（Ｓ２１４）。
【００８２】
服薬情報作成部１０４は、例えば、図２に示す田中花子の服用者情報レコードにおいて、１１：００に服薬情報を送信した場合、予定されていた服用時刻である１２：００に服薬情報を送信すると、田中花子に対して同一の服薬情報を２度送信してしまうことになるため、図７に示すように、昼のフィールドに「中止」を格納する。これにより、服薬情報作成部１０４は、１２：００において服薬情報を作成する必要はないと判定することになる。
【００８３】
このように実施の形態１による服薬情報提供システムによれば、服用者の食事終了の行為を検知し、それに従って、服薬情報を服用者が所持する服用者端末３に送信しているため、服用者の食事時間がずれた場合であっても、より適切な時刻に服用者に対して薬の服用を促すことができる。
【００８４】
なお、実施の形態１においては、カード情報読取部４０１は、カードＣからカード情報を読み取るとしたが、服用者が所持する服用者端末３に服用者を特定する情報（上記カード情報に相当する情報）を記憶させておき、その情報を読み取らせてもよい。また、料金の支払いに関わる機能がついていないカードＣに上記カード情報を記憶させておき、そのカードからカード情報を読み取ってもよい。また、服用者端末３の出力部３０２は、音声によって服用者に薬の服用を促しても良い。この場合、服薬情報作成部１０４は、服用者に対して薬の服用を促すための予め定められた音声データを服薬情報に含ませればよい。
【００８５】
（実施の形態２）
図８は、本発明の実施の形態２による服薬情報提供システムを示す構成図である。図８において、図１と同じ構成要素については同じ符号を用い、説明を省略する。実施の形態２では、服用者端末３は更に、入力部３０３を具備している。入力部３０３は、キーボード、ボタン、タッチパネル、ペン、音声入力装置等から構成され、サーバ１から送信された服薬情報に対して薬を服用したか否かを示す返答情報を服用者が入力する際に用いられるものである。服薬情報作成部１０４は、更に返答情報に起因して薬の服用時刻を変更する。
【００８６】
次に、実施の形態２による服薬情報提供システムの動作について図９のフローチャートに従って説明する。まず、入力部３０３は、ステップＳ４０１において、薬の服用者による返答情報の入力を受け付けると、ステップＳ４０２において、受け付けた返答情報を通信部３０１に出力する。ステップＳ４０３において、通信部３０１は、受け付けた返答情報を送信するためのフレームを生成してサーバ１へ送信する。本実施の形態では、サーバ１は、ＰＯＰ３等のプロトコルに従って服薬情報を電子メールにより服用者端末３に送信するものとする。そして、服用者は、服薬情報を含む電子メールに対する返信メールをサーバ１に送信することにより、サーバ１に対して返答情報を送信する。この返答情報には、服薬完了、或いは服薬未完了のいずれかを示す情報が含まれているものとする。
【００８７】
通信部１０５は、ステップＳ５０１において、服用者端末３から送信された返答情報を受信すると、ステップＳ５０２において、受信した返答情報を服薬情報作成部１０４へ出力する。ステップＳ５０３において、服薬情報作成部１０４は、返答情報が服薬完了を示す場合（Ｓ５０３でＹＥＳ）、返答情報の受信時刻、次回の薬の服用時刻、薬の服用間隔等から、次回の服用時刻を変更するか否かを判断する（Ｓ５０４）。具体的には、返答情報の受信時刻と次の服用時刻との時間間隔を算出し、算出した時間間隔と、薬剤情報テーブルに格納された服用時間間隔との差が予め定められた規定値以下の場合、次回の服用時刻を変更する必要があると判断する。
【００８８】
ステップＳ５０４において、服薬情報作成部１０４は、次回の服用時刻を変更する必要があると判断した場合（Ｓ５０４でＹＥＳ）、次回の薬の服用時刻を算出し、算出した服用時刻を服用者情報レコードに書き込むと共に、服用完了の返答情報を受信したことを示すデータを服用者情報レコードに書き込む。
【００８９】
例えば、図１０に示す田中花子の場合、服用完了を示す返答情報を１４：３０に受信した場合、次回の１７：００の通知では薬の服用間隔が２時間３０分しかなく、服用間隔が短くなるため、次回の服用時刻が１７：００から１９：３０に変更されている。また、昼のフィールドにおいて、服薬完了の返答情報を受信したことを示す「○」が格納されていることが分かる。これにより、服薬情報作成部１０４は、１９：３０に次回の服薬情報を作成し、服用者端末３に送信することになる。
【００９０】
一方、ステップＳ５０３において、服薬情報作成部１０４は、受信した返答情報が服薬完了を示さない場合（Ｓ５０３でＮＯ）、再度、服薬情報を送信するために、新たな服用時刻を算出し（Ｓ５０７）、算出した服用時刻を服用者情報レコードに格納する。具体的には、図１０に示す鈴木太郎の場合、予め定められた服用時刻である１８：００における服薬情報の通知に対して、１８：１０に服薬未完了の返答情報が受信されたため、１８：３０に服薬情報が再度通知されるように服薬時刻が変更されている。
【００９１】
以上説明したように、実施の形態２による服薬情報提供システムによれば、服用者から服薬完了の有無を示す返答情報が送信されるため、服薬の完了を確実に検出することができる。また、返答情報の受信時刻に応じて、次回の服薬時刻が変更されるため、服用者が実際に薬を服用した時刻が、予め定められた服薬時刻から大きくずれた場合であっても、服用者に対して適正な時刻に次回の薬の服用を促すことができる。
【００９２】
（実施の形態３）
次に、本発明の実施の形態３による服薬情報提供システムについて説明する。なお、実施の形態３による服薬情報提供システムは、実施の形態２と同一構成であるため、図８の構成図を用いて説明する。
【００９３】
実施の形態３では、入力部３０３は、服用者が服用している薬に対して、飲み合わせにより相互作用を引き起こす薬等を示す相互作用情報を要求するための相互作用要求の服用者による入力を受け付ける。ここで、相互作用要求には、服用者名称、薬の名称、及び薬を服用する時間帯（朝、昼、夜、食間１、食間２、及び就寝前）を示す情報が含まれる。服用者名称、薬の名称、及び薬を服用する時間帯は、各々、図１０の同一名称のフィールドに対応している。また、服薬情報作成部１０４は、相互作用要求に従って相互作用情報を作成する。
【００９４】
なお、服用者端末３には、相互作用要求を入力させるためのプログラムが格納され、このプログラムに従って出力部３０２には相互作用要求の入力画面が表示される。そして、服用者はこの入力画面に従って、入力部３０３を操作して相互作用要求を入力する。
【００９５】
次に、実施の形態３による服薬情報提供システムの動作について図１１のフローチャートに従って説明する。まず、ステップＳ６０１において、入力部３０３は、服用者による相互作用要求の入力を受け付けると、ステップＳ６０２において、受け付けた相互作用要求を通信部３０１に出力する。ステップＳ６０３において、通信部３０１は、受け付けた相互作用要求を送信するためのフレームを生成してサーバ１へ送信する。
【００９６】
通信部１０５は、ステップＳ７０１において、服用者端末３から送信された相互作用要求を受信すると、ステップＳ７０２において、受信した相互作用要求を服薬情報作成部１０４へ出力する。ステップＳ７０３において、服薬情報作成部１０４は、受け付けた相互作用要求に少なくとも服用者名称が含まれる場合（Ｓ７０３でＹＥＳ）、当該服用者名称の服用者に対する服用者情報レコードを服用者情報テーブルから検出する（Ｓ７０４）。一方、ステップＳ７０３において、服薬情報作成部１０４は、受け付けた相互作用要求に服用者名称が含まれていない場合（Ｓ７０３でＮＯ）、相互作用要求を作成することができないことを示す情報を作成し、通信部１０５を介して服用者端末３に送信し（Ｓ７０５）、服用者端末３は送信された情報を受信して出力部３０２に出力させる（Ｓ６０４）。
【００９７】
ステップＳ７０６において、服薬情報作成部１０４は、検出した服用者情報レコードに従って、相互作用情報を作成する。具体的には、相互作用要求に服用者名称のみが含まれる場合、ステップＳ７０４で検出した服用者情報レコードの薬の名称のフィールドに格納された薬に対する薬剤情報レコードを図３に示す薬剤情報テーブルから検出し、検出した薬剤情報テーブルの副作用、飲み合わせの悪い薬、及び飲み合わせの悪い飲食物・嗜好品のフィールドに格納されたデータを抽出し、相互作用情報を作成する。
【００９８】
また、相互作用要求に服用者名称及び薬の名称のみが含まれる場合、ステップＳ７０４で検出した服用者情報レコードに格納された薬のうち、相互作用要求が示す薬に対する薬剤情報レコードを薬剤情報テーブルから検出し、検出した薬剤情報レコードに従って相互作用情報を作成する。
【００９９】
更に、相互作用要求に服用者名称及び時間帯を示す情報が含まれる場合、ステップＳ７０４で検出した服用者情報レコードに含まれる薬のうち、相互作用要求が示す時間帯に服用することが定められている薬の薬剤情報レコードを薬剤情報テーブルから検出し、検出した薬剤情報レコードに従って相互作用情報を作成する。
【０１００】
更に、相互作用要求に服用者名称、薬の名称及び時間帯を示す情報が含まれる場合、ステップＳ７０４で検出した服用者情報レコードにおいて、相互作用要求が示す時間帯に服用することが定められている薬のうち、相互作用要求が示す薬の薬剤情報レコードを薬剤情報テーブルから検出し、検出した薬剤情報レコードに従って相互作用情報を作成する。
【０１０１】
ステップＳ７０７において、服薬情報作成部１０４は、作成した相互作用情報を通信部１０５に出力し、ステップＳ７０８において、通信部１０５は受け付けた相互作用情報を相互作用要求を送信した服用者端末３に送信する。
【０１０２】
ステップＳ６０５において、服用者端末３の通信部３０１は、サーバ１から送信された相互作用情報を受信し、ステップＳ６０６において、出力部３０２は、相互作用情報を出力する。
【０１０３】
以上説明したように、実施の形態３による服薬情報提供システムによれば、相互作用要求をサーバ１に送信するだけで、現在服用している薬に対する副作用や、飲み合わせの悪い薬等を速やかに把握することができ、服用者による薬の誤った服用を未然に防止することができる。
【０１０４】
（実施の形態４）
図１２は、本発明の実施の形態４による服薬情報提供システムを示す構成図である。図１２において、図１と同じ構成要素については同じ符号を用い、説明を省略する。実施の形態４における服用者端末３は、服用者によって携帯される携帯用薬箱から構成され、薬収納部３０４を備えると共に、図８に示す服用者端末３の構成に加えて、警告情報作成部３０６を備えている。警告情報作成部３０６は、センサー３０５により薬収納部３０４に薬が収納されていないことが検出された場合、そのことを服用者に通知するための警告情報を生成し、出力部３０２に出力させる。薬収納部３０４は、筐体と筐体に対して引き出し可能に取り付けられた薬収納トレイとから構成されている。薬収納トレイには、センサー３０５が取り付けられている。センサー３０５は、重量センサー又は赤外線センサー等から構成され、薬収納部３０４に薬が収納されているか否かを検出する。
【０１０５】
センサー３０５は、薬収納部３０４に薬が存在しないことを検出した場合、検出信号を警告情報作成部３０６に出力する。
【０１０６】
次に、実施の形態４による服薬情報提供システムの動作について図１３のフローチャートに従って説明する。ステップＳ８０１において、センサー３０５は、薬収納部３０４に薬が収納されていないことを検出すると、検出信号を警告情報作成部３０６に出力する（Ｓ８０２）。ステップＳ８０３において、警告情報作成部３０６は警告情報を作成し、作成した警告情報を出力部３０２に出力する（Ｓ８０４）。ステップＳ８０５において、出力部３０２は警告情報を出力する。ここで、警告情報には、薬収納部３０４に薬が収納されていないことを示す音声データ、文字データ等を含み、出力部３０２は、この音声データをスピーカから出力し、文字データを表示装置に表示する。
【０１０７】
以上説明したように、実施の形態４による服薬情報提供システムによれば、薬収納部３０４に薬が収納されていない場合、服用者はそのことを速やかに知ることができる。
【０１０８】
（実施の形態５）
図１４は、本発明の実施の形態５による服薬情報提供システムを示す構成図である。実施の形態５は、実施の形態４において、ネットワーク２として宅内ネットワークを採用し、服用者端末３に対してネットワーク２を介して電気機器５が接続されていることを特徴としている。そして、サーバ１、服用者端末３、及び電気機器５は服用者が居住する家屋に設置されているものとする。なお、図１４において、図１２と同一のものについては同一の符号を付して説明を省略する。ネットワーク２としては、ＩＥＥＥ８０２．１ｂ等の無線ＬＡＮ、エコーネット等が採用される。
【０１０９】
服用者情報記憶部１０１に記憶された服用者情報テーブルは、例えば家屋に居住する構成員の各々に対して作成された服用者情報レコードから構成されているものとする。
【０１１０】
サーバ１は宅内の機器などを制御するホームコントローラ等により構成される。服用者端末３のコンピュータ３１は、ホームコントローラの端末、携帯電話、或いはＰＤＡ等から構成される。
【０１１１】
電気機器５は、電子レンジ及びコンロ等の調理機器、或いは照明器具等の電気機器から構成され、操作検出部５０１、通信部５０２、及び操作部５０３を備えている。図１４において、電気機器５は２台示されているが、これに限定されず、３台以上、或いは１台であってもよい。
【０１１２】
操作検出部５０１は機器に対して操作者により操作部５０３が操作されたとき、その操作の種類を検出し、操作情報を生成する。通信部５０２は、操作検出部５０１により生成された操作情報をネットワーク２を介してサーバ１に送信する。ここで、操作情報は、電子レンジ、コンロ、照明器具等の機器を示す種別情報及び電源ＯＮ／ＯＦＦ等の機器に対する所定の操作の種類を示す操作種類情報等で構成される。操作部５０３は、電源スイッチ等から構成され、操作者が電気機器５に対して行う操作を受け付ける。
【０１１３】
服用者行為検知部１０３は、電気機器５から送信された操作情報を通信部１０５を介して受け付け、受け付けた操作情報に従って、操作がなされた電気機器５を検知すると共に、検知した電気機器５に対してなされた操作の種類を検知する。
【０１１４】
服薬情報作成部１０４は、服用者行為検知部１０３により電気機器５に対する操作が検知されたとき、服用者情報記憶部１０１で記憶された服用者情報テーブルに格納されたデータに従って服薬情報を作成する。
【０１１５】
次に、実施の形態５による服薬情報提供システムの動作を図１５及び図１６に示すフローチャートに従って説明する。ステップＳ９０１において、操作者により操作部５０３を用いて電気機器５に対する操作が行われると、操作検出部５０１はその操作の種類を検出する。具体的には、電気機器５がＯＮされた場合は、ＯＮされたことを検出し、ＯＦＦされた場合は、ＯＦＦされたことを検出する。
【０１１６】
ステップＳ９０２において、操作検出部５０１は、検出した操作の種類を示す操作種類情報及び機器の種類を示す機器種別情報を含む操作情報を生成し、通信部５０２に出力する。ステップＳ９０３において、通信部５０２は受け付けた操作情報を送信するためのフレームを生成しサーバ１に送信する。
【０１１７】
ステップＳ１００１において、通信部１０５は、電気機器５から送信された操作情報を受信する。ステップＳ１００２において、通信部１０５は、受信した操作情報を服薬情報作成部１０４に出力する。
【０１１８】
ステップＳ１００３において、服薬情報作成部１０４は、受け付けた操作情報に従って、服薬情報を即座に作成する必要があるか否かを判定する。ここで、服薬情報作成部１０４は、例えば、受け付けた操作情報が、食事終了を示すことが明らかであるような情報である場合に、即座に服薬情報を作成する必要があると判定する。
【０１１９】
具体的には、操作情報に含まれる機器種別情報が食器洗い乾燥機を示し、操作種類情報が電源ＯＮを示す場合、食事が終了したことが明らかであるため、即座に服薬情報を作成する必要があると判定する。一方、操作情報に含まれる機器種別情報が電子レンジ、コンロ、或いは炊飯器等の調理機器を示し、操作種類情報が電源のＯＮを示す場合、料理を開始した直後であると判定し、即座に服薬情報を作成する必要はないと判定する。
【０１２０】
ステップＳ１００４において、服薬情報作成部１０４は、服薬情報を作成する必要があるか否かを判定する。ここで、服薬情報作成部１０４は、１２：１０に服用者行為検知部１０３により電気機器５に対する操作が検知された場合、図１７に示す田中一郎の昼のフィールドには、１２：００の服薬情報の通知に対する返答情報が受信されていることを示すデータ（「○」）が格納されているため、田中一郎に対する服薬情報は作成する必要はないと判定する。
【０１２１】
一方、図１７に示す田中花子の昼のフィールドには、１２：００の服薬情報の通知に対する返答情報の受信を示すデータが格納されていないため、田中花子に対しては服薬情報を作成する必要があると判定する。
【０１２２】
ステップＳ１００４において、服薬情報作成部１０４が服薬情報を作成する必要があると判定した場合（Ｓ１００４でＹＥＳ）、服薬情報の作成対象となる服用者の薬剤情報レコードを薬剤情報テーブルから検出する（Ｓ１００５）。ステップＳ１００６において、服薬情報作成部１０４は、検出した薬剤情報レコードから形状、大きさ、色、画像、副作用、飲み合わせの悪い薬、及び飲み合わせの悪い飲食物・嗜好品のフィールドに格納されたデータを読み出し、服用者毎の服薬情報を作成する。具体的には、図１７において、服用者行為検知部１０３により１２：１０に電気機器５の操作が検知された場合、田中花子に対してのみ服薬情報が作成される。
【０１２３】
ステップＳ１００７において、服薬情報作成部１０４は、作成した服薬情報を通信部１０５に出力し、通信部１０５は、受け付けた服薬情報をネットワーク２を介して服用者端末３に送信する。ステップＳ２００２において、服用者端末３の通信部３０１は送信された服薬情報を受信して出力部３０２に出力し、ステップＳ２００３において、出力部２００３は受け付けた服薬情報を出力する。この場合、出力部３０２としての表示装置には、服用者毎の服薬情報が表示される。
【０１２４】
一方、ステップＳ１００４において、服薬情報作成部１０４は、服薬情報を作成する必要がないと判定した場合（Ｓ１００４でＮＯ）、服薬情報を作成しないことを示す情報を生成し、通信部１０５を介して服用者端末３に送信する（Ｓ１００８）。そして、服用者端末３は、服薬情報を作成しないことを示す情報を受信し、その情報を出力部３０２に出力させる（Ｓ２００１）。
【０１２５】
ステップＳ１００９において、服薬情報作成部１０４は、服薬情報を作成した服用者に対して次回の服用時刻を変更する必要があるか否かを判定する。ここで、服薬情報作成部１０４は、服用者行為検知部１０３により電気機器５の操作が検知され、その検知に起因して服薬情報を作成した時刻と、当該作成時刻が属する時間帯のフィールドに格納されたデータとの差が規定値（例えば１時間）以下である場合、服用時刻を変更する必要があると判定する。
【０１２６】
例えば、図１７における「田中花子」の場合、１１：３０に服用者行為検知部１０３により電気機器５に対する操作が検知され、その検知に起因して服薬情報が作成された場合は、１１：３０が属する時間帯である昼のフィールドに１２：００の服用時刻が格納され、両時刻の差は３０分であるため、服用時刻を変更する必要があると判定する。
【０１２７】
ステップＳ１００９でＹＥＳと判定された場合、服用者行為検知部１０３により電気機器５に対する操作が検知された時刻が属する時間帯のフィールドに中止を格納し、服用者情報レコードを更新する（Ｓ１０１０）。例えば、１１：３０に服用者行為検知部１０３により服用者の行為が検知され、その検知に起因して服薬情報が作成され、送信された場合は、図１８に示す田中花子における１１：３０が属する時間帯である昼のフィールドに「中止」を格納する。これにより、１２：００において、服薬情報作成部１０４により服薬情報が送信されず、田中花子に対して短時間の間に同一の服薬情報が２度送信されることが防止される。一方ステップＳ１００９でＮＯと判定された場合、処理が終了される。
【０１２８】
図１５に示すステップＳ１００３において、服薬情報作成部１０４は、即座に服薬情報を作成する必要があると判定しなかった場合（Ｓ１００３でＮＯ）、すなわち、電気機器５から送信された操作情報が食事の開始を示す場合、服薬情報が食事終了時刻に送信されるような服用時刻を求め（Ｓ１０１１）、求めた服用時刻により服用者情報レコードを更新する（Ｓ１０１０）。
【０１２９】
具体的には、図１７に示す田中花子において、６：５０に服用者行為検知部１０３により電気機器５の操作が検知された場合、服薬情報作成部１０４は、６：５０に食事が開始したと判定し、６：５０に例えば３０分を加算した時刻である７：２０を、６：５０分が属する時間帯である朝のフィールドに格納し、服用時刻を変更する。これにより、食事が終了するころに服薬情報が送信されることとなる。
【０１３０】
以上説明したように、実施の形態５の服薬情報提供システムによれば、電気機器５が操作されると、操作された電気機器５の種別を示す機器種別情報及び操作の種類を示す操作種類情報を含む操作情報がサーバ１へ送信され、サーバ１はその操作情報が食事の終了を示す場合は、即座に服薬情報を作成して服用者端末３に送信する一方、操作情報が食事の開始を示す場合は、食事の開始時刻から一定時間経過後に服薬情報を服用者端末３に送信するため、日々変動する服用者の食事の終了時刻に柔軟に対応し、食事の終了時刻に服薬情報を送信することができる。
【０１３１】
（実施の形態６）
図１９は、本発明の実施の形態６による服薬情報提供システムを示す構成図である。図１９に示すように実施の形態６は、図１４に示す実施の形態５に対して、サーバ１が在庫情報記憶部１０６を更に備え、ネットワーク２に収納装置７が接続されていることを特徴としている。図１９において図１４と同一のものは同一の符号を付して説明を省略する。
【０１３２】
収納装置７は、冷蔵庫等の食品を収納する装置から構成され、通信部及び検知部を備えている。検知部はＩＣタグリーダ等から構成され、収納装置７内に収納された食品の例えば容器に取り付けられたＩＣタグと通信して、ＩＣタグに記憶された食品を特定するための食品情報を読み出す。通信部は、読み出された食品情報をサーバ１に送信する。
【０１３３】
服薬情報作成部１０４は、送信された食品情報に従って在庫テーブルを作成する。在庫情報記憶部１０６は、服薬情報作成部１０４により作成された在庫テーブルを記憶している。この在庫テーブルは、図２０に示すように、飲食物のフィールドと、嗜好品のフィールドとを備える。飲食部のフィールドには、牛乳、オレンジジュース等の宅内に存在する飲食物の名称が格納されている。嗜好品のフィールドにはタバコ等の宅内に存在する嗜好品の名称が格納されている。
【０１３４】
入力部３０３は、在庫テーブルに格納された食品のうち、服用している薬に対し、飲み合わせにより相互作用を引き起こす飲食物及び嗜好品を示す在庫内相互作用情報の送信をサーバ１に要求するために服用者により入力される在庫内相互作用要求の入力を受け付ける。ここで、在庫内相互作用要求には、服用者名称、薬の名称、及び薬を服用する時間帯（朝、昼、夜、食間１、食間２、及び就寝前）のうちいずれかを示す情報が含まれる。服用者名称、薬の名称、及び薬を服用する時間帯は、各々、図１７及び図１８の同一名称のフィールドに対応している。
【０１３５】
次に、実施の形態６による服薬情報提供システムの動作について図２１及び図２２のフローチャートに従って説明する。まず、入力部３０３は、ステップＳ２１０１において、服用者による在庫内相互作用要求の入力を受け付けると、ステップＳ２１０２において、受け付けた在庫内相互作用要求を通信部３０１に出力する。ステップＳ２１０３において、通信部３０１は、受け付けた在庫内相互作用要求を送信するためのフレームを生成してサーバ１へ送信する。
【０１３６】
通信部１０５は、ステップＳ１１０１において、服用者端末３から送信された在庫内相互作用要求を受信すると、ステップＳ１１０２において、受信した在庫内相互作用要求を服薬情報作成部１０４へ出力する。ステップＳ１１０３において、服薬情報作成部１０４は、受け付けた在庫内相互作用要求に少なくとも服用者名称が含まれる場合（Ｓ１１０３でＹＥＳ）、当該服用者名称の服用者に対する服用者情報レコードを服用者情報テーブルから検出する（Ｓ１１０４）。一方、ステップＳ１１０３において、服薬情報作成部１０４は、受け付けた相互作用要求に服用者名称が含まれていない場合（Ｓ１１０３でＮＯ）、相互作用要求を作成することができないことを示す情報を作成し、通信部１０５を介して服用者端末３に送信し（Ｓ１１０５）、服用者端末３は送信された情報を受信して出力部３０２に出力させる（Ｓ２１０４）。
【０１３７】
ステップＳ１１０６において、服薬情報作成部１０４は、検出した服用者情報レコードに従って、在庫テーブルに格納された飲食物及び嗜好品のうち、飲み合わせにより相互作用を引き起こす飲食物及び嗜好品を特定する。具体的には、相互作用要求に服用者名称のみが含まれる場合、ステップＳ１１０４で検出した服用者情報レコードの薬の名称のフィールドに格納された薬に対する薬剤情報レコードを図３に示す薬剤情報テーブルから検出し、検出した薬剤情報テーブルの飲み合わせの悪い飲食物・嗜好品のフィールドに格納されたデータと、在庫テーブルに格納されたデータとを照合し、宅内に存在する食品及び嗜好品のうち、服用している薬と相互作用を引き起こす食品及び嗜好品を特定する。
【０１３８】
また、在庫内相互作用要求に服用者名称及び薬の名称のみが含まれる場合、ステップＳ１１０４で検出した服用者情報レコードに格納された薬のうち、在庫内相互作用要求が示す薬に対する薬剤情報レコードを薬剤情報テーブルから検出し、検出した薬剤情報レコードの飲み合わせの悪い飲食物・嗜好品のフィールドに格納されたデータと、在庫テーブルに格納されたデータとを照合し、宅内に存在する食品及び嗜好品のうち、服用している薬と相互作用を引き起こす食品及び嗜好品を特定する。
【０１３９】
また、在庫内相互作用要求に服用者名称及び時間帯を示す情報が含まれる場合、ステップＳ１１０４で検出した服用者情報レコードに含まれる薬のうち、在庫内相互作用要求が示す時間帯に服用することが定められている薬の薬剤情報レコードを薬剤情報テーブルから検出し、検出した薬剤情報レコードの飲み合わせの悪い飲食物・嗜好品のフィールドに格納されたデータと、在庫テーブルに格納されたデータとを照合し、宅内に存在する食品及び嗜好品のうち、服用している薬と相互作用を引き起こす食品及び嗜好品を特定する。
【０１４０】
また、在庫内相互作用要求に服用者名称、薬の名称及び時間帯を示す情報が含まれる場合、ステップＳ１１０４で検出した服用者情報レコードにおいて、在庫内相互作用要求が示す時間帯に服用することが定められている薬のうち、在庫内相互作用要求が示す薬の薬剤情報レコードを薬剤情報テーブルから検出し、検出した薬剤情報レコードの飲み合わせの悪い飲食物・嗜好品のフィールドに格納されたデータと、在庫テーブルに格納されたデータとを照合し、宅内に存在する食品及び嗜好品のうち、服用している薬と相互作用を引き起こす食品及び嗜好品を特定する。
【０１４１】
ステップＳ１１０７において、服薬情報作成部１０４は、ステップＳ１１０６で特定した食品及び嗜好品を示す情報を含む在庫内相互作用情報を生成し、生成した在庫内相互作用情報を通信部１０５に出力し（Ｓ１１０８）、通信部１０５は受け付けた在庫内相互作用情報を在庫内相互作用要求を送信した服用者の服用者端末３に送信する（Ｓ１１０９）。
【０１４２】
ステップＳ２１０５において、服用者端末３の通信部３０１は、サーバ１から送信された在庫内相互作用情報を受信し、ステップＳ２１０６において、出力部３０２は、在庫内相互作用情報を出力する。
【０１４３】
例えば、在庫内相互作用情報において服用者名称として田中一郎、薬の名称として薬Ａが含まれているとすると、図１７に示す田中一郎の服用者情報レコードの薬の名称には薬Ａが含まれているため、薬Ａに対する薬剤情報レコードが図３に示す薬剤情報テーブルから検出される。そして、検出された薬剤情報レコードの飲み合わせの悪い飲食物・嗜好品のフィールドには「ビール・日本酒・牛乳」が格納され、一方、図２０に示す在庫テーブルには「牛乳、ビール、日本酒」が格納されているため、薬Ａに対して飲み合わせの悪い飲食物・嗜好品としてビール、日本酒、牛乳を示す情報を含む在庫内相互作用情報が作成される。
【０１４４】
以上説明したように、実施の形態６による服薬情報提供システムによれば、在庫内相互作用要求をサーバ１に送信するだけで、収納装置７に格納されている食品のうち、現在服用している薬に対して飲み合わせの悪い食品及び嗜好物を速やかに把握することができ、服用者による薬の誤った服用を未然に防止することができる。
【０１４５】
（実施の形態７）
図２３は、本発明の実施の形態７による服薬情報提供システムを示す構成図である。図２３に示すように実施の形態７では、図１９に示す実施の形態６の服用者端末３の薬収納部３０４を省き、ネットワーク２に対して新たに薬収納装置６を接続したことを特徴としている。なお、図２３において、図１９と同じ構成要素については同じ符号を用い、説明を省略する。
【０１４６】
薬収納装置６は、１又は複数の薬収納部６０１、警告情報作成部６０３、及び通信部６０４を備えている。薬収納部６０１は、筐体及び筐体に対して引き出し可能に配設され、内部に薬を収納する薬トレイを備えている。センサー６０２は、重量センサー、或いは赤外線センサーから構成され、薬収納部６０１に薬が存在するかを否かを検知する。警告情報作成部６０３は、センサー６０２により薬収納部６０１に薬が存在していないことが検知された場合にその旨を通知する警告情報を作成する。通信部６０４は、警告情報作成部６０３により作成された警告情報をネットワーク２を介して服用者端末３へ送信する。
【０１４７】
次に、実施の形態７による服薬情報提供システムの動作について図２４のフローチャートを用いて説明する。まず、ステップＳ３００１において、センサー６０２は、薬収納部６０１に薬が存在していないことを検知すると、検知した薬が存在しないことを示す情報を警告情報作成部６０３に出力する（Ｓ３００２）。ステップＳ３００３において、警告情報作成部６０３は、警告情報を作成し、作成した警告情報を通信部６０４に出力する（Ｓ３００４）。ステップＳ３００５において、通信部６０４は受け付けた警告情報を送信するためのフレームを生成して服用者端末３へ送信する。
【０１４８】
服用者端末３の通信部３０１は、薬収納装置６から送信された警告情報を受信し（Ｓ４００１）、出力部３０２に出力する（Ｓ４００２）。出力部３０２は受け付けた警告情報を出力する（Ｓ４００３）。ここで、警告情報には、薬収納部３０４に薬が収納されていないことを示す音声データ、文字データ等を含み、出力部３０２は、この音声データをスピーカから出力し、文字データを表示装置に表示する。
【０１４９】
尚、薬収納装置６は、据え置き型、或いは屋外に持ち運べる携帯型のものであってもよい。
【０１５０】
以上説明したように、実施の形態７の服薬情報提供システムによれば、薬収納装置６に薬が収納されていない場合、そのことを服用者は速やかに知ることができる。
【０１５１】
（実施の形態８）
図２５は、本発明における実施の形態８による服薬情報提供システムを示す構成図である。図２５に示す実施の形態８は、図１２に示す実施の形態４に対して、飲食店端末４が省かれ、サーバ１が在庫情報記憶部１０６を備える構成となっている。なお、図２５において、図１及び図１２と同じ構成要素については同じ符号を用い、説明を省略する。
【０１５２】
入力部３０３は、サーバ１から服薬情報の送信を要求する際に服用者により入力される服薬情報要求を受け付ける。服用者行為検知部１０３は、服用者端末３から送信された服薬情報要求を検知する。ここで、服薬情報要求には、少なくとも服用者の名称を含んでいる。服用者端末３は、服薬情報要求を入力すること想定される服用者の名称を予め記憶しておき、服用者が服薬情報要求を入力する際に出力部３０２に予め記憶している服用者の名称を一覧表示させ、服用者に選択させることで、服薬情報要求に含まれる服用者の名称を入力させてもよいし、キーボード等を用いて直接入力させてもよい。
【０１５３】
また、入力部３０３は、カードＣに記憶されたカード情報を読み取るカード読取装置（図略）を備え、このカード読取装置によりカード情報を読み取ることにより、服用者特定データを取得してもよい。服薬情報作成部１０４は、服薬情報要求が受信されたとき、服薬情報を作成する。
【０１５４】
次に、実施の形態８による服薬情報提供システムの動作について図２６及び図２７のフローチャートに従って説明する。まず、ステップＳ５００１において、服用者端末３の入力部３０３が服用者からの服薬情報要求の入力を受け付ける。
【０１５５】
ステップＳ５００２において、入力部３０３は、受け付けた服薬情報要求を通信部４０２に出力する。ステップＳ５００３において、通信部４０２は、受け付けた服薬情報要求を送信するためのフレームを生成し、ネットワーク２を介してサーバ１に送信する。
【０１５６】
ステップＳ６００１において、通信部１０５は、服用者端末３から送信された服薬情報要求を受信し、服用者行為検知部１０３に出力する。服用者行為検知部１０３は、服薬情報要求の受信を検知し、服薬情報要求を服薬情報作成部１０４に出力する。ステップＳ６００２において、服薬情報作成部１０４は、服薬情報要求に含まれる服用者の名称から服用者を特定する。
【０１５７】
ステップＳ６００３において、服薬情報作成部１０４は、服薬情報要求に含まれる服用者と同一のデータが、服用者名称のフィールドに格納された服用者情報レコードを図２に示す服用者情報テーブルから検出する。
【０１５８】
ステップＳ６００４において、服薬情報作成部１０４は、カード情報に含まれる服用者の名称と同一のデータが格納された服用者情報レコードが、服用者情報テーブルから検出することができた場合（Ｓ６００４でＹＥＳ）、処理がステップＳ６００５に進められ、服用者情報レコードを服用者情報テーブルから検出することができなかった場合（Ｓ６００４でＮＯ）、服薬情報を作成することができないことを示す情報を生成し、服用者端末３に送信する（Ｓ６００６）。当該情報を受信した服用者端末は、服薬情報を作成することができない旨を出力部３０２に出力させる（Ｓ５００４）。
【０１５９】
ステップＳ６００５において、服薬情報作成部１０４は、服薬情報の作成が必要か否かを判定する。ここで、服薬情報作成部１０４は、服用者行為検知部１０３により服薬情報要求の受信が検知された時刻が図２に示す朝の時間帯、昼の時間帯、夜の時間帯、及び就寝前の時間帯のいずれの時刻に該当するかを特定する。
【０１６０】
次に、対象となる服用者の服用者情報レコードを参照し、特定した時間帯のフィールドにおいて、服用時刻が格納されている場合、服薬情報を作成する必要があると判定する。一方、服用時刻が格納されていない場合、服薬情報を作成する必要がないと判定する。
【０１６１】
服薬情報作成部１０４は、例えば６：５０分に田中一郎の服薬情報要求の受信が検知された場合、図２に示す田中一郎の服用者情報レコードの朝のフィールドを参照する。そして、朝のフィールドにおいて、薬Ａ及び薬Ｂに対して「７：００」の服用時刻が格納されているため、服薬情報を作成する必要があると判定する。
【０１６２】
服薬情報作成部１０４は、ステップＳ６００５においてＹＥＳと判定した場合、該当する服用者の服用者情報レコード参照し、服用者が服用する薬を特定する（Ｓ６００７）。ここで、服薬情報作成部１０４は、服薬情報要求を受け付けた時刻が、図２に示す朝、昼、夜、就寝前のいずれの時間帯に該当するかを特定し、特定した時間帯のフィールドにおいて服用時刻が格納されている薬を、服用者が服用する薬として特定する。
【０１６３】
服薬情報作成部１０４は、例えば６：５０分に田中一郎の服薬情報要求を取得した場合、図２に示す朝のフィールドには、薬Ａ及び薬Ｂに服用時刻が格納され、薬Ｃに服用時刻が格納されていないため、薬Ａ及び薬Ｂを服用する薬として特定する。
【０１６４】
ステップＳ６００８において、服薬情報作成部１０４は、特定した服用者の薬の薬剤情報レコードを薬剤情報テーブルから検出する。ステップＳ６００９において、服薬情報作成部１０４は、特定した薬剤情報レコードを参照して服用する薬の分量、注意事項、形状、大きさ、色、画像、副作用、飲み合わせの悪い薬、及び飲み合わせの悪い飲食物・嗜好物のデータを抽出すると共に、特定した服用者の服用者情報レコードから連絡先情報を抽出し、抽出したこれらのデータに従って、図６に示す服薬情報を作成する。
【０１６５】
一方、服薬情報作成部１０４は、ステップＳ６００５においてＮＯと判定した場合、服薬情報を作成しないことを示す情報を作成し、通信部１０５を介して服用者の服用者端末３に送信する（Ｓ６０１０）。ステップＳ５００５において、サーバ１から送信された服薬情報を作成しないことを示す情報を受信した服用者端末３は、服薬情報が作成されないことを示す情報を出力部３０２に出力させ、服薬情報が作成されないことを服用者に報知する。
【０１６６】
ステップＳ６０１１において、通信部１０５は、服薬情報作成部１０４により作成された服薬情報を受け付ける。ステップＳ６０１２において、通信部１０５は、受け付けた服薬情報を服薬情報に含まれる連絡先情報を送信先とするフレームを作成し、服用者端末３に送信する。
【０１６７】
ステップＳ５００６において、服用者端末３の通信部３０１は、サーバ１から送信されたフレームを受信し服薬情報を取り出し、ステップＳ５００７において、出力部３０２は、取り出された服薬情報を出力する。これにより、服用者は、現在服用している薬を知ることができる。この場合、出力部３０２は、図６に示す服薬情報のうち、連絡先以外の情報を出力する。
【０１６８】
ステップＳ６０１３において、服薬情報作成部１０４は、服薬情報を送信した時刻が属する時間帯のフィールドに格納された服用時刻を変更する必要があるか否かを判定し、変更する必要があると判定した場合（Ｓ６０１３でＹＥＳ）、当該時間帯のフィールドに「中止」を格納し、服用者情報レコードを更新する（Ｓ６０１４）。
【０１６９】
服薬情報作成部１０４は、例えば、図２に示す田中花子の服用者情報レコードにおいて、１１：００に服薬情報を送信した場合、予定されていた服用時刻である１２：００に服薬情報を送信すると、田中花子に対して同一の服薬情報を２度送信してしまうことになるため、図７に示すように、昼のフィールドの履に「中止」を格納する。これにより、服薬情報作成部１０４は、１２：００において服薬情報を作成する必要はないと判定することになる。
【０１７０】
このように実施の形態８による服薬情報提供システムによれば、服用者は服用者端末３から服薬情報要求を送信することで、服薬情報を得ることができ、自己が現在服用している薬に関する情報を速やかに知ることができる。
【０１７１】
（実施の形態９）
次に実施の形態９による服薬情報提供システムについて説明する。実施の形態９による服薬情報提供システムは、実施の形態５による服薬情報提供システムに対して、電気機器５の操作検出部５０１が図２８に示すような操作情報を生成することを特徴としている。図２８に示す操作情報は、機器種類、機器属性、操作内容、及び操作属性のフィールドを備えている。機器種類のフィールドには、電気機器５の種類を特定するデータ（例えば、電気機器の名称）が格納されている。機器属性のフィールドには、電気機器５の機能に基づく属性を示すデータが格納されている。図２８に示すように、電子レンジは調理機器であるため「調理」の属性が与えられ、食器洗い乾燥機は、調理後に使用されることが一般的であるため、「調理後」の属性が与えられ、エアコンは、空調機器であるため、「空調」の属性が与えられ、洗濯機は「家事」の属性が与えられている。
【０１７２】
操作内容のフィールドには、電気機器５に対して行われる操作内容が格納され、操作属性のフィールドには、操作内容の属性が格納されている。操作属性としては、「調理」、「調理後」、及び「その他」等が存在する。図２８では、電子レンジに対しては、電源のＯＮを示す「ＯＮ」、「加熱時間設定」、「時刻設定」等が操作内容のフィールドに格納され、操作属性のフィールドには、「ＯＮ」及び「加熱時間設定」に対して「調理」、「時刻設定」に対して「その他」の操作属性が格納されている。
【０１７３】
また、食器洗い乾燥機の操作内容はいずれも調理後に行われるため、操作属性の各フィールドには「調理後」が格納されている。また、エアコン、洗濯機は調理機器ではないため、操作内容、操作属性の両フィールドに対してデータが格納されていない。
【０１７４】
なお、実施の形態９の構成は実施の形態５と同一であるため実施の形態９の構成図は図１４を用いる。実施の形態９では、服用者情報記憶部１０１は図２９に示すような服用者情報テーブルを記憶している。図２９に示す服用者情報テーブルは、図２に示す服用者情報テーブルとは異なり予め服用時刻が格納されていない点に特徴がある。
【０１７５】
また、薬剤情報記憶部１０２には、図３に示す薬剤情報テーブルにおいて、服用方法のフィールドが図３０に示すデータ構造を採用する薬剤情報テーブルが記憶されている。図３０に示すように薬剤情報テーブルの服用方法のフィールドを構成する朝、昼、及び夜のフィールドは、それぞれ食前及び食後のフィールドを備えている。
【０１７６】
図３０の例では、薬Ａは朝、昼、及び夜の各々の食後のフィールドに「○１錠」が格納されているため、薬Ａは朝、昼、夜の食後の服用が定められている。
【０１７７】
次に、実施の形態９の服薬情報提供システムの動作について図３１のフローチャートを用いて説明する。まず、ステップＳ７００１において、操作者により操作部５０３が操作されたとき、操作検出部５０１は、その操作の種類を検出し、操作情報を生成し（Ｓ７００２）、通信部５０２は、操作検出部５０１により生成された操作情報をネットワーク２を介してサーバ１に送信する（Ｓ７００３）。ここで、操作情報としては、図２８に示すような操作情報が作成される。
【０１７８】
ステップＳ８００１において、通信部１０５が操作情報を受信すると、服用者行為検知部１０３は、操作情報に従って、操作がなされた電気機器５を特定すると共に、検知した電気機器５に対してなされた操作内容の操作属性を特定する（Ｓ８００２）。
【０１７９】
ステップＳ８００３において、服薬情報作成部１０４は、図２９に示す服用者情報テーブルを参照し、各服用者が服用している薬を特定する。ステップＳ８００４において、服薬情報作成部１０４は、特定した薬に対する薬剤情報レコードを参照し、服薬情報を作成する必要があるか否かを判定し、服薬情報を作成する必要があると判定した場合（Ｓ８００４でＹＥＳ）、服薬情報を作成し（Ｓ８００５）、服薬情報を作成する必要がないと判定した場合（Ｓ８００４でＮＯ）、処理を終了する。
【０１８０】
ここで、服薬情報作成部１０４は、ステップＳ８００２で特定した操作属性が調理後である場合、ステップＳ８００３で特定された薬のうち、図３０に示す薬剤情報テーブルにおいて、操作情報の受信時刻が属する時間帯の食後のフィールドに「○」が格納された薬に対して、その薬の服用を促す服薬情報を作成する。
【０１８１】
また、ステップＳ８００２で特定した操作属性が調理である場合、ステップＳ８００３で特定された薬のうち、図３０に示す薬剤情報テーブルにおいて、操作情報の受信時刻が属する時間帯の食前のフィールドに「○」が格納された薬に対して、その薬の服用を促す服薬情報を作成する。更に、ステップＳ８００２で特定した操作属性がその他である場合、服薬情報を作成しない。
【０１８２】
ステップＳ８００６において、服薬情報作成部１０４は、作成した服薬情報を通信部１０５に出力し、通信部１０５は、受け付けた服薬情報をネットワーク２を介して服用者端末３に送信する。ステップＳ８００７において、服薬情報作成部１０４は、次回の薬の服用時刻を決定する。図３２は、ある服用者に対する服用者情報テーブルの一例を示した図面である。この服用者は、薬Ａ〜薬Ｄを服用することが定められている。薬Ｃは、図３０に示すように食間１及び食間２に服用することが定められている。
【０１８３】
７：００において、調理後の操作情報を受信した場合、７時〜１２時のほぼ中間の時間である１０時が午前中の食間１とすることが好ましいため、服薬情報作成部１０４は、図３２に示すように服用者情報テーブルに対して、服用者情報テーブルの朝の食後のフィールドに「７：００」を格納するとともに、食間１のフィールドに「１０：００」を格納し、図２９に示す服用者情報テーブルを更新する。
【０１８４】
ステップＳ９００１において、服用者端末３の通信部３０１は送信された服薬情報を受信して出力部３０２に出力し、ステップＳ９００２において、出力部２００３は受け付けた服薬情報を出力する。この場合、出力部３０２としての表示装置には、服用者毎の服薬情報が表示される。
【０１８５】
以上説明したように、実施の形態９の服薬情報提供システムによれば、電気機器５が操作されると、操作された電気機器５の種別を示す機器種別情報及び操作の種類を示す操作種類情報を含む操作情報がサーバ１へ送信され、サーバ１はその操作情報が食前を示す場合は、食前に服用すべき薬を示す服薬情報を生成し、食後を示す場合は、食後に服用すべき薬を示す服薬情報が作成されるため、日々変動する服用者の食事の終了時刻に柔軟に対応し、服用者の行動を加味した適切な時刻に服薬情報を送信することができる。
【０１８６】
なお、本発明は、サーバ１を構成する服用者情報記憶部１０１等の各ブロックはサーバ１が備えるものとしたが、例えば薬剤情報記憶部１０２を別のサーバに備えさせてもよく、全てのブロックを同一のサーバ１が備える必要はない。また、上記実施の形態５、６、７においては、服用者情報記憶部１０１などの各手段の一部が宅外のネットワークで接続されているような構成、例えば薬剤情報保持手段が持つ機能を別のサーバが保持し、そのサーバが宅外のネットワークでサーバ１と接続されているような構成であっても良い。さらに、上記実施の形態５、６、７、８、９においては、サーバ１及び服用者端末３を統合したような端末で構成されるシステムであっても良い。この場合の服用者端末３としては、宅内の機器を管理・制御でき、ディスプレイなどの出力手段をもつようなホームコントローラ等が挙げられる。服用者の行為の検知による服薬情報の作成や出力などは全てこの服用者端末３で行われることになり、服薬情報の出力等を行うための新たな端末が不要となりシステムが簡単になる。
【０１８７】
また、実施の形態３及び６以外の服薬情報提供システムにおいては、薬剤情報テーブルにおいて、飲み合わせの悪い薬及び飲み合わせの悪い飲食物・嗜好品のフィールドは省いても良い。
【産業上の利用可能性】
【０１８８】
本発明にかかる服薬情報提供システムは、薬の服用者の行為に基づいて薬の服薬情報が提供されるため、あらかじめ指定された服用時刻の通知で薬を服用できない場合等でも薬の服用通知を受け取ることができ、服用者に対してより適切な時刻に薬を服用させるうえで非常に有用である。
【図面の簡単な説明】
【０１８９】
【図１】本発明の実施の形態１による服薬情報提供システムを示す構成図である。
【図２】服用者情報テーブルの一例を示す図面である。
【図３】薬剤情報テーブルの一例を示す図面である。
【図４】本発明の実施の形態１による服薬情報提供システムの動作を示すフローチャートである。
【図５】本発明の実施の形態１による服薬情報提供システムの動作を示すフローチャートである。
【図６】服薬情報の一例を示した図面である。
【図７】服用時刻変更後の服用者情報テーブルの一例を示す図面である。
【図８】本発明の実施の形態２及び実施の形態３による服薬情報提供システムを示す構成図である。
【図９】本発明の実施の形態２による服薬情報提供システムの動作を示すフローチャートである。
【図１０】実施の形態２による服用者情報テーブルの一例を示す図面である。
【図１１】本発明の実施の形態３による服薬情報提供システムの動作を示すフローチャートである。
【図１２】本発明の実施の形態４による服薬情報提供システムを示す構成図である。
【図１３】本発明の実施の形態４による服薬情報提供システムの動作を示すフローチャートである。
【図１４】本発明の実施の形態５による服薬情報提供システムを示す構成図である。
【図１５】本発明の実施の形態５による服薬情報提供システムの動作を示すフローチャートである。
【図１６】本発明の実施の形態５による服薬情報提供システムの動作を示すフローチャートである。
【図１７】実施の形態５による服用者情報テーブルの一例を示す図面である。
【図１８】実施の形態５による服用者情報テーブルの一例を示す図面である。
【図１９】本発明の実施の形態６による服薬情報提供システムを示す構成図である。
【図２０】在庫テーブルの一例を示した図面である。
【図２１】本発明の実施の形態６による服薬情報提供システムの動作を示すフローチャートである。
【図２２】本発明の実施の形態６による服薬情報提供システムの動作を示すフローチャートである。
【図２３】本発明の実施の形態７による服薬情報提供システムを示す構成図である。
【図２４】本発明の実施の形態７による服薬情報提供システムの動作を示すフローチャートである。
【図２５】本発明の実施の形態８による服薬情報提供システムを示す構成図である。
【図２６】本発明の実施の形態８による服薬情報提供システムの動作を示すフローチャートである。
【図２７】本発明の実施の形態８による服薬情報提供システムの動作を示すフローチャートである。
【図２８】本発明の実施の形態９による操作情報のデータ構造を示す図面である。
【図２９】本発明の実施の形態９による服用者情報テーブルの一例を示す図面である。
【図３０】本発明の実施の形態９による薬剤情報テーブルの一例を示す図面である。
【図３１】本発明の実施の形態９による服薬情報提供システムの動作を示すフローチャートである。
【図３２】本発明の実施の形態９による服用者情報テーブルの一例を示す図面である。
【符号の説明】
【０１９０】
１  サーバ
２  ネットワーク
３  服用者端末
４  飲食店端末
５  電気機器
６  薬収納装置
１０１  服用者情報記憶部
１０２  薬剤情報記憶部
１０３  服用者行為検知部
１０４  服薬情報作成部
１０５  通信部
１０６  在庫情報記憶部
３０１  通信部
３０２  出力部
３０３  入力部
３０４  薬収納部
３０５  センサー
３０６  警告情報作成部
４０１  カード情報読取部
４０２  通信部
５０１  操作検出部
５０２  通信部
５０３  操作部
６０１  薬収納部
６０２  センサー
６０３  警告情報作成部
６０４  通信部 
【図１】
2005276191.tif 000003
【図２】
2005276191.tif 000004
【図３】
2005276191.tif 000005
【図４】
2005276191.tif 000006
【図５】
2005276191.tif 000007
【図６】
2005276191.tif 000008
【図７】
2005276191.tif 000009
【図８】
2005276191.tif 000010
【図９】
2005276191.tif 000011
【図１０】
2005276191.tif 000012
【図１１】
2005276191.tif 000013
【図１２】
2005276191.tif 000014
【図１３】
2005276191.tif 000015
【図１４】
2005276191.tif 000016
【図１５】
2005276191.tif 000017
【図１６】
2005276191.tif 000018
【図１７】
2005276191.tif 000019
【図１８】
2005276191.tif 000020
【図１９】
2005276191.tif 000021
【図２０】
2005276191.tif 000022
【図２１】
2005276191.tif 000023
【図２２】
2005276191.tif 000024
【図２３】
2005276191.tif 000025
【図２４】
2005276191.tif 000026
【図２５】
2005276191.tif 000027
【図２６】
2005276191.tif 000028
【図２７】
2005276191.tif 000029
【図２８】
2005276191.tif 000030
【図２９】
2005276191.tif 000031
【図３０】
2005276191.tif 000032
【図３１】
2005276191.tif 000033
【図３２】
2005276191.tif 000034